(57)【要約】  既存のＬＴＥシステムと異なるＭＣＳテーブル、ＣＱＩテーブル及びＲＮＴＩの少なくとも一つが導入される場合であっても通信を適切に制御するために、本開示の一態様に係るユーザ端末は、第１のチャネル品質識別子（ＣＱＩ）テーブル、及び前記第１のＣＱＩテーブルに規定された最小の符号化率より低い符号化率が規定された第２のＣＱＩテーブルの少なくとも一つを利用してチャネル状態情報（ＣＳＩ）を送信する送信部と、ＣＱＩテーブルがセル毎に別々に設定される場合、所定グループに含まれる複数のセルに異なるＣＱＩテーブルが設定されないと想定、又は前記第１のＣＱＩテーブルに基づく第１のＣＳＩと第２のＣＱＩテーブルに基づく第２のＣＳＩの一方を優先して、前記ＣＳＩの送信を制御する制御部と、を有する。
2020026305.tif 000002
【特許請求の範囲】
【請求項１】
第１のチャネル品質識別子（ＣＱＩ）テーブル、及び前記第１のＣＱＩテーブルに規定された最小の符号化率より低い符号化率が規定された第２のＣＱＩテーブルの少なくとも一つを利用してチャネル状態情報（ＣＳＩ）を送信する送信部と、
ＣＱＩテーブルがセル毎に別々に設定される場合、所定グループに含まれる複数のセルに異なるＣＱＩテーブルが設定されないと想定、又は前記第１のＣＱＩテーブルに基づく第１のＣＳＩと第２のＣＱＩテーブルに基づく第２のＣＳＩの一方を優先して、前記ＣＳＩの送信を制御する制御部と、を有することを特徴とするユーザ端末。
【請求項２】
前記制御部は、前記第１のＣＱＩテーブルに基づく第１のＣＳＩの送信タイミングと、第２のＣＱＩテーブルに基づく第２のＣＳＩの送信タイミングとが重複した場合、前記第１のＣＳＩの送信を行わないように制御することを特徴とする請求項１に記載のユーザ端末。
【請求項３】
前記制御部は、前記第１のＣＱＩテーブルに基づく第１のＣＳＩの送信タイミングと、第２のＣＱＩテーブルに基づく第２のＣＳＩの送信タイミングとが重複した場合、符号化率が所定値以下となる範囲では前記第１のＣＳＩと前記第２のＣＳＩを多重して送信を行うことを特徴とする請求項１に記載のユーザ端末。
【請求項４】
第１の変調及び符号化方式（ＭＣＳ）テーブル、及び前記第１のＭＣＳテーブルに規定された最小の符号化率より低い符号化率が規定された第２のＭＣＳテーブルの少なくとも一つを利用して下り共有チャネルを受信する受信部と、
前記下り共有チャネルに対する送達確認信号を送信する送信部と、
ＭＣＳテーブルがセル毎に別々に設定される場合、所定グループに含まれる複数のセルに異なるＭＣＳテーブルが設定されないと想定、又は前記第１のＭＣＳテーブルを利用する下り共有チャネルに対する第１の送達確認信号と第２のＭＣＳテーブルを利用するに下り共有チャネルに対する第２の送達確認信号の一方を優先して、前記送達確認信号の送信を制御する制御部と、を有することを特徴とするユーザ端末。
【請求項５】
前記制御部は、前記第１の送達確認信号の送信タイミングと、第２の送達確認信号の送信タイミングとが重複した場合、前記第１の送達確認信号の送信を行わないように制御することを特徴とする請求項４に記載のユーザ端末。
【請求項６】
前記制御部は、前記第１の送達確認信号の送信タイミングと、第２の送達確認信号の送信タイミングとが重複した場合、符号化率が所定値以下となる範囲では前記第１の送達確認信号と前記第２の送達確認信号を多重して送信を行うことを特徴とする請求項４に記載のユーザ端末。
【発明の詳細な説明】
【技術分野】
【０００１】
本開示は、次世代移動通信システムにおけるユーザ端末に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８、９）の更なる大容量、高度化などを目的として、ＬＴＥ−Ａ（ＬＴＥアドバンスト、ＬＴＥ  Ｒｅｌ．１０、１１、１２、１３）が仕様化された。【０００３】
ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１４又は１５以降などともいう）も検討されている。【０００４】
既存のＬＴＥシステム（例えば、３ＧＰＰ  Ｒｅｌ．８−１４）では、ユーザ端末（ＵＥ：User  Equipment）は、基地局からの下り制御情報（ＤＣＩ：Downlink  Control  Information、ＤＬアサインメント等ともいう）に基づいて、物理下り共有チャネル（例えば、ＰＤＳＣＨ：Physical  Downlink  Shared  Channel）の受信を制御する。また、ＵＥは、ＤＣＩ（ＵＬグラント等ともいう）に基づいて、物理上り共有チャネル（例えば、ＰＵＳＣＨ：Physical  Uplink  Shared  Channel）の送信を制御する。ＵＥは、所定の変調及び符号化方式（ＭＣＳ：Modulation  and  Coding  Scheme）テーブルを利用して、ＰＤＳＣＨの受信（又は、ＰＵＳＣＨの送信）を制御する。【０００５】
また、ＵＥは、所定のチャネル品質識別子（ＣＱＩ：Channel  Quality  Indicator）テーブルを利用して、チャネル状態情報（ＣＳＩ：Channel  State  Information）の送信を行う。
【先行技術文献】
【非特許文献】
【０００６】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００７】
将来の無線通信システム（例えば、５Ｇ（5th  generation  mobile  communication  system）、ＮＲ（New  Radio））では、モバイルブロードバンドのさらなる高度化（ｅＭＢＢ：enhanced  Mobile  Broadband）、多数同時接続を実現するマシンタイプ通信（ｍＭＴＣ：massive  Machine  Type  Communications）、高信頼かつ低遅延通信（ＵＲＬＬＣ：Ultra-Reliable  and  Low-Latency  Communications）などのユースケースが想定される。例えば、ＵＲＬＬＣでは、ｅＭＢＢよりも高い遅延削減、および、ｅＭＢＢよりも高い信頼性が要求される。【０００８】
ＮＲでは、様々なユースケースに対応するために、既存のＬＴＥシステムでは規定されていない新規のＭＣＳテーブル及びＣＱＩテーブルを導入することが想定される。新規のテーブルは、既存のテーブルと比較して符号化率が低い候補（インデックス）が規定された内容であってもよい。【０００９】
また、新規のＭＣＳテーブルの導入にあたり、当該新規のＭＣＳテーブルを指定するために新規のＲＮＴＩ（ＭＣＳ  ＲＮＴＩと呼んでもよい）を利用することも考えられる。【００１０】
一方で、新規のＭＣＳテーブル及びＣＱＩテーブルの少なくとも一つ、又は新規のＲＮＴＩが導入される場合に、当該新規のテーブル又は新規のＲＮＴＩを利用した通信動作をどのように制御するかについて十分に検討されていない。新規のテーブル又は新規のＲＮＴＩを利用した通信動作が適切に行われない場合、通信品質が劣化するおそれがある。【００１１】
本開示はかかる点に鑑みてなされたものであり、既存のＬＴＥシステムと異なるＭＣＳテーブル、ＣＱＩテーブル及びＲＮＴＩの少なくとも一つが導入される場合であっても通信を適切に制御することが可能なユーザ端末を提供することを目的の１つとする。
【課題を解決するための手段】
【００１２】
本開示の一態様に係るユーザ端末は、第１のチャネル品質識別子（ＣＱＩ）テーブル、及び前記第１のＣＱＩテーブルに規定された最小の符号化率より低い符号化率が規定された第２のＣＱＩテーブルの少なくとも一つを利用してチャネル状態情報（ＣＳＩ）を送信する送信部と、ＣＱＩテーブルがセル毎に別々に設定される場合、所定グループに含まれる複数のセルに異なるＣＱＩテーブルが設定されないと想定、又は前記第１のＣＱＩテーブルに基づく第１のＣＳＩと第２のＣＱＩテーブルに基づく第２のＣＳＩの一方を優先して、前記ＣＳＩの送信を制御する制御部と、を有することを特徴とする。
【発明の効果】
【００１３】
本開示の一態様によれば、既存のＬＴＥシステムと異なるＭＣＳテーブル、ＣＱＩテーブル及びＲＮＴＩの少なくとも一つが導入される場合であっても通信を適切に制御することが可能となる。
【図面の簡単な説明】
【００１４】
【図１】図１Ａ及び図１Ｂは、ＭＣＳテーブル１、２の一例を示す図である。
【図２】図２は、ＭＣＳテーブル３の一例を示す図である。
【図３】図３Ａ及び図３Ｂは、ＣＱＩテーブル１、２の一例を示す図である。
【図４】図４は、ＣＱＩテーブル３の一例を示す図である。
【図５】図５は、本実施の形態におけるＣＳＩ送信の一例を示す図である。
【図６】図６は、本実施の形態におけるＣＳＩ送信の他の例を示す図である。
【図７】図７は、本実施の形態におけるＣＳＩ送信の他の例を示す図である。
【図８】図８Ａ及び図８Ｂは、本実施の形態におけるＨＡＲＱ−ＡＣＫ送信の一例を示す図である。
【図９】図９Ａ及び図９Ｂは、本実施の形態における最大符号化率の設定の一例を示す図である。
【図１０】図１０は、本実施の形態におけるＵＬ送信とＤＬ受信の重複時の送受信制御の一例を示す図である。
【図１１】図１１は、本実施の形態におけるＵＬ送信電力制御の一例を示す図である。
【図１２】図１２Ａ及び図１２Ｂは、本実施の形態におけるＰＵＳＣＨに対するＵＣＩの多重制御の一例を示す図である。
【図１３】図１３は、一実施形態に係る無線通信システムの概略構成の一例を示す図である。
【図１４】図１４は、一実施形態に係る基地局の全体構成の一例を示す図である。
【図１５】図１５は、一実施形態に係る基地局の機能構成の一例を示す図である。
【図１６】図１６は、一実施形態に係るユーザ端末の全体構成の一例を示す図である。
【図１７】図１７は、一実施形態に係るユーザ端末の機能構成の一例を示す図である。
【図１８】図１８は、一実施形態に係る基地局及びユーザ端末のハードウェア構成の一例を示す図である。
【発明を実施するための形態】
【００１５】
＜ＭＣＳテーブル＞
ＮＲでは、ＤＣＩに含まれる所定フィールドに基づいて、当該ＤＣＩによりスケジューリングされる物理共有チャネルの変調方式（又は変調次数）及び符号化率の少なくとも一つ（変調次数／符号化率）を制御することが検討されている。例えば、ＵＥは、ＰＤＳＣＨをスケジューリングするＤＣＩ（例えば、ＤＣＩフォーマット１＿０、１＿１）に含まれる変調及び符号化方式（ＭＣＳ：Modulation  and  Coding  Scheme）フィールドに基づいて、ＰＤＳＣＨの受信処理を制御する。
【００１６】
具体的には、ＵＥは、ＭＣＳインデックスと、変調次数（Modulation  order）と、符号化率（Code  rate）と、が関連付けられて定義されたテーブル（ＭＣＳテーブルとも呼ぶ）と、ＤＣＩで指定されるＭＣＳインデックスとに基づいてＰＤＳＣＨの受信を行う。同様に、ＵＥは、ＭＣＳテーブルと、ＰＵＳＣＨをスケジューリングするＤＣＩで指定されるＭＣＳインデックスとに基づいてＰＵＳＣＨの送信を行う。
【００１７】
各変調次数は、各変調方式に対応する値である。例えば、ＱＰＳＫ（Quadrature  Phase  Shift  Keying）の変調次数は２、１６ＱＡＭ（Quadrature  Amplitude  Modulation）の変調次数は４、６４ＱＡＭの変調次数は６、２５６ＱＡＭの変調次数は８に対応する。
【００１８】
図１は、ＭＣＳテーブルの一例を示す図である。なお、図１に示すＭＣＳテーブルの値は、例示にすぎず、これに限られない。また、ＭＣＳインデックス（ＩＭＣＳ）に関連付けられる一部の項目（例えば、スペクトル効率）は省略されてもよいし、他の項目が追加されてもよい。
【００１９】
図１Ａは、変調次数としてＱＰＳＫ、１６ＱＡＭ、及び６４ＱＡＭが規定され、図１Ｂは、変調次数としてＱＰＳＫ、１６ＱＡＭ、６４ＱＡＭ、及び２５６ＱＡＭが規定されている。また、図１Ａ及び図１Ｂでは、最小の符号化率（ＭＣＳインデックス０）が１２０（×１０２４）となるように定義されている。
【００２０】
図１ＡのＭＣＳテーブルは、ＰＤＳＣＨ用のＭＣＳテーブル１、６４ＱＡＭテーブル、又はｑａｍ６４と呼ばれてもよい。図１ＢのＭＣＳテーブルは、ＰＤＳＣＨ用のＭＣＳテーブル２、２５６ＱＡＭテーブル、又はｑａｍ２５６と呼ばれてもよい。なお、図１に示す６４ＱＡＭテーブルと、２５６ＱＡＭテーブルは、既存のＬＴＥシステムにおいても規定されている。
【００２１】
ＮＲでは、既存のＬＴＥシステムより低遅延及び高信頼性が要求されるケース（例えば、ＵＲＬＬＣ等）も想定される。このようなケースに対応するために、既存のＬＴＥシステムで規定されているＭＣＳテーブルと異なる新規のＭＣＳテーブルが導入されることが想定される。
【００２２】
図２に新規のＭＣＳテーブルの一例を示す。なお、図２に示すＭＣＳテーブルの値は、例示にすぎず、これに限られない。図２では、変調次数としてＱＰＳＫ、１６ＱＡＭ、及び６４ＱＡＭが規定され、最小の符号化率（ＭＣＳインデックス０）が３０（×１０２４）となるように定義されている。図２のＭＣＳテーブルは、ＰＤＳＣＨ用のＭＣＳテーブル３、新規ＭＣＳテーブル、又はｑａｍ６４ＬｏｗＳＥと呼ばれてもよい。
【００２３】
このように、新規ＭＣＳテーブル（ＭＣＳテーブル３）は、図１に示すＭＣＳテーブル（ＭＣＳテーブル１、ＭＣＳテーブル２）に規定された最小の符号化率（例えば、１２０）より低い符号化率（例えば、３０）が規定されたテーブルであってもよい。あるいは、ＭＣＳテーブル３は、ＭＣＳテーブル１又はＭＣＳテーブル２と比較した場合、同一のＭＣＳインデックスにおける符号化率が低く設定されたテーブルであってもよい。
【００２４】
ＵＥは、以下の条件（１）−（３）の少なくとも一つに基づいて、ＰＤＳＣＨの変調次数／符号化率の決定に利用するＭＣＳテーブルを選択してもよい。
（１）新規ＲＮＴＩの設定有無
（２）ＭＣＳテーブルを指定する情報（ＭＣＳテーブル情報）の通知
（３）ＤＣＩ（又は、ＰＤＣＣＨ）及びＰＤＳＣＨの少なくとも一方のＣＲＣスクランブルに適用されるＲＮＴＩ種別
【００２５】
例えば、ＵＥに対して新規ＲＮＴＩ（ＭＣＳ  ＲＮＴＩと呼んでもよい）が上位レイヤ（例えば、ＲＲＣシグナリング）で設定されない場合を想定する。この場合、ＵＥは、上位レイヤパラメータ（例えば、mcs-table）で指定されるＭＣＳテーブル情報に基づいて、適用するＭＣＳテーブルを決定してもよい。
【００２６】
ＭＣＳテーブル情報は、ＭＣＳテーブル１、ＭＣＳテーブル２（例えば、ｑａｍ２５６）、又はＭＣＳテーブル３（例えば、ｑａｍ６４ＬｏｗＳＥ）のいずれかを指定する情報であってもよい。あるいは、ＭＣＳテーブル情報は、ＭＣＳテーブル２（例えば、ｑａｍ２５６）、又はＭＣＳテーブル３（例えば、ｑａｍ６４ＬｏｗＳＥ）のいずれかを指定する情報であってもよい。
【００２７】
ＵＥは、ＭＣＳテーブル２が設定された場合、ＭＳＣテーブル２を適用してＰＤＳＣＨの受信を制御する。
【００２８】
ＵＥは、新規ＭＣＳテーブル（ＭＣＳテーブル３）が設定された場合、ＤＣＩの送信に利用されるサーチスペース種別に基づいて、適用するＭＣＳテーブルを決定してもよい。例えば、ＵＥは、新規ＭＣＳテーブルが設定された場合であっても、ＤＣＩ（例えば、ＤＣＩフォーマット０＿０、１＿０）がコモンサーチスペースで送信された場合、ＭＣＳテーブル１を利用する。一方で、ＵＥは、新規ＭＣＳテーブルが設定され、ＤＣＩ（例えば、ＤＣＩフォーマット０＿０、１＿０、０＿１、１＿０）がＵＥ固有サーチスペースで送信された場合、ＭＣＳテーブル３を利用する。なお、ＵＬ（ＰＵＳＣＨ送信）とＤＬ（ＰＤＳＣＨ受信）について、それぞれ別々にＭＣＳテーブルが設定されてもよい。
【００２９】
次に、ＵＥに対して新規ＲＮＴＩが上位レイヤ（例えば、ＲＲＣシグナリング）で設定される場合を想定する。この場合、ＵＥは、ＤＣＩ（又は、ＰＤＣＣＨ）及びＰＤＳＣＨの少なくとも一方のＣＲＣスクランブルに適用されるＲＮＴＩ種別に基づいて、ＭＣＳテーブルを決定してもよい。例えば、ＰＤＳＣＨのＣＲＣが新規ＲＮＴＩでスクランブルされている場合、ＵＥは新規ＭＣＳテーブル（ＭＣＳテーブル３）を利用してＰＤＳＣＨの受信を行う。
【００３０】
また、セミパーシステントスケジューリング（ＤＬ−ＳＰＳ）により送信されるＰＤＳＣＨに対しては、上位レイヤパラメータ（例えば、mcs-Table）により新規ＭＣＳテーブルの設定有無を通知してもよい。ＤＬ−ＳＰＳ用の新規ＭＣＳテーブルの設定は、ＤＣＩに基づくＰＤＳＣＨ送信（グラントベースＤＬスケジューリング）とは独立して設定されてもよい。
【００３１】
なお、図１−２に示されるテーブルを用いる条件は、上記の条件に限られない。
【００３２】
＜ＣＱＩテーブル＞
既存のＬＴＥシステムでは、ＵＥがチャネル状態の測定用の参照信号に基づいて測定した結果をチャネル状態情報（ＣＳＩ）として基地局に所定タイミングでフィードバックするＣＳＩ報告がサポートされている。
【００３３】
チャネル状態の測定用の参照信号は、例えば、ＣＳＩ−ＲＳ（Channel  State  Information-Reference  Signal）とも呼ばれるが、これに限られない。ＣＳＩは、ＣＱＩ（Channel  Quality  Indicator）、ＰＭＩ（Precoding  Matrix  Indicator）、ＲＩ（Rank  Indicator）の少なくとも一つを含んでもよい。また、ＣＳＩは、第１のＣＳＩ（ＣＳＩパート１）及び第２のＣＳＩ（ＣＳＩパート２）の少なくとも一つを含んでもよい。
【００３４】
ＣＳＩ報告には、周期的なＣＳＩの報告（Ｐ−ＣＳＩ報告）、半永続的（セミパーシステント（Semi-Persistent））に指定されるリソースを用いたＣＳＩの報告（ＳＰ−ＣＳＩ報告）、非周期的なＣＳＩの報告（Ａ−ＣＳＩ報告）がサポートされる。
【００３５】
ＵＥは、ＣＳＩ報告を行う場合、ＣＱＩテーブルから選択したＣＱＩインデックスを送信する。ＣＱＩテーブルは、ＣＱＩインデックスと、変調次数（Modulation  order）と、符号化率（Code  rate）と、が関連付けられて定義されたテーブル（ＣＱＩテーブルとも呼ぶ）であってもよい。
【００３６】
図３は、ＣＱＩテーブルの一例を示す図である。なお、図３に示すＣＱＩテーブルの値は、例示にすぎず、これに限られない。また、ＣＱＩインデックスに関連付けられる一部の項目（例えば、スペクトル効率）は省略されてもよいし、他の項目が追加されてもよい。
【００３７】
図３Ａは、変調次数としてＱＰＳＫ、１６ＱＡＭ、及び６４ＱＡＭが規定され、図３Ｂは、変調次数としてＱＰＳＫ、１６ＱＡＭ、６４ＱＡＭ、及び２５６ＱＡＭが規定されている。また、図３Ａ及び図３Ｂでは、最小の符号化率（ＣＱＩインデックス１）が７８（×１０２４）となるように定義されている。
【００３８】
図３ＡのＣＱＩテーブルは、ＣＱＩテーブル１、又は６４ＱＡＭ用のＣＱＩテーブルと呼ばれてもよい。図３ＢのＣＱＩテーブルは、ＣＱＩテーブル２、又は２５６ＱＡＭ用のＣＱＩテーブルと呼ばれてもよい。なお、図３に示すＣＱＩテーブル１と、ＣＱＩテーブル２は、既存のＬＴＥシステムにおいても規定されている。
【００３９】
ＮＲでは、既存のＬＴＥシステムより低遅延及び高信頼性が要求されるケース（例えば、ＵＲＬＬＣ等）も想定される。このようなケースに対応するために、既存のＬＴＥシステムで規定されているＣＱＩテーブルと異なる新規のＣＱＩテーブルが導入されることが想定される。
【００４０】
図４に新規のＣＱＩテーブルの一例を示す。なお、図４に示されるＣＱＩテーブルの値は、例示にすぎず、これに限られない。図４では、変調次数としてＱＰＳＫ、１６ＱＡＭ、及び６４ＱＡＭが規定され、最小の符号化率（ＣＱＩインデックス１）が３０（×１０２４）となるように定義されている。図４のＣＱＩテーブルは、ＣＱＩテーブル３、又は新規ＣＱＩテーブルと呼ばれてもよい。
【００４１】
このように、新規ＣＱＩテーブル（ＣＱＩテーブル３）は、図３に示すＣＱＩテーブル（ＣＱＩテーブル１、ＣＱＩテーブル２）に規定された最小の符号化率（例えば、７８）より低い符号化率（例えば、３０）が規定されたテーブルであってもよい。あるいは、ＣＱＩテーブル３は、ＣＱＩテーブル１又はＣＱＩテーブル２と比較した場合、同一のＣＱＩインデックスにおける符号化率が低く設定されたテーブルであってもよい。
【００４２】
ＵＥは、ネットワーク（例えば、基地局）から通知されるＣＱＩテーブルに関する情報（ＣＱＩテーブル情報）に基づいて、ＣＳＩの送信に利用するＣＱＩテーブルを選択してもよい。例えば、ＵＥは、基地局から上位レイヤ（例えば、cqi-table）で設定されるＣＱＩテーブルを適用してＣＳＩの送信を行う。
【００４３】
このように、新規のＭＣＳテーブル、新規のＣＱＩテーブル、及び新規のＲＮＴＩの少なくとも一つが導入される場合に、当該新規のテーブル又は新規のＲＮＴＩを利用した通信動作をどのように制御するかが問題となる。
【００４４】
例えば、ＵＥは、新規のＣＱＩテーブルを利用してどのようにＣＳＩ報告を制御するかが問題となる（課題１）。あるいは、ＵＥは、新規のＭＣＳテーブルを利用するデータ（例えば、ＰＤＳＣＨ）がスケジューリングされる場合、当該データに対する送達確認信号（ＨＡＲＱ−ＡＣＫ、ＡＣＫ／ＮＡＣＫ、Ａ／Ｎとも呼ぶ）のフィードバックをどのように制御するかが問題となる（課題２）。
【００４５】
あるいは、新規のＲＮＴＩをどのように利用するかが問題となる（課題３）。あるいは、ＵＥは、新規ＲＮＴＩを導入する場合にＵＬ電力制御をどのように制御するかが問題となる（課題４）。あるいは、ＵＥは、新規ＲＮＴＩを導入する場合にデータ（例えば、物理共有チャネル）の復号又は送信の優先度をどのように制御するかが問題となる（課題５）。
【００４６】
そこで、本発明者らは、新規のＭＣＳテーブル、新規のＣＱＩテーブル、及び新規のＲＮＴＩの少なくとも一つが導入される場合の通信動作を検討し、本願発明に至った。
【００４７】
なお、以下の説明において、新規ＲＮＴＩは、ＭＣＳ−ＲＮＴＩ、ＵＲＬＬＣ−ＲＮＴＩ、Ｕ−ＲＮＴＩ、Ｙ−ＲＮＴＩ、又はＸ−ＲＮＴＩと呼ばれてもよい。つまり、以下の説明において、新規ＲＮＴＩは、ＭＣＳ−ＲＮＴＩ、ＵＲＬＬＣ−ＲＮＴＩ、Ｕ−ＲＮＴＩ、Ｙ−ＲＮＴＩ、及びＸ−ＲＮＴＩの少なくとも一つと読み替えてもよい。
【００４８】
以下、本開示に係る実施形態について、図面を参照して詳細に説明する。本実施形態に係る態様は、それぞれ単独で適用されてもよいし、組み合わせて適用されてもよい。なお、以下に示す実施の形態により、上記課題１−５の少なくとも一つが解決されればよく、課題１−５の全てが同時に解決されるものに限定されない。
【００４９】
（第１の態様）
第１の態様では、１以上のセルを利用して通信を行う場合、所定条件（又は、所定ルール）に基づいてＣＳＩ報告を制御する。なお、以下の説明において、セルは、コンポーネントキャリア（ＣＣ）と読み替えてもよい。なお、以下の説明では、ＣＳＩをＰＵＣＣＨで送信する場合を例に挙げるが、ＰＵＳＣＨに多重する場合も同様に適用してもよい。
【００５０】
ＵＥがＣＳＩ報告を行う場合、ネットワーク（例えば、基地局）から上位レイヤシグナリングで設定されたＣＱＩテーブルを適用する。一方で、ＣＱＩテーブルを指定する上位レイヤパラメータ（例えば、cqi-Table）は、ＣＳＩレポート構成を指定する上位レイヤパラメータ（例えば、CSI-ReportConfig）に含まれる。また、ＣＳＩレポート構成のリストは、ＣＳＩ測定構成を指定する上位レイヤパラメータ（例えば、CSI-MeasConfig）に含まれ、ＣＳＩ測定構成は、サービングセル構成を指定する上位レイヤパラメータ（例えば、ServingCellConfig）に含まれる。
【００５１】
つまり、ＣＱＩテーブルは、少なくともセル毎（または、少なくともセル毎かつＣＳＩレポート構成毎）にそれぞれ設定される。この場合、複数のセルを利用した通信（例えば、キャリアアグリゲーション（ＣＡ）又はデュアルコネクティビティ（ＤＣ））を行う場合、少なくともセル毎（または、少なくともセル毎かつＣＳＩレポート構成毎）に異なるＣＱＩテーブルが設定されるケースも生じ得る。
【００５２】
例えば、所定のセルグループに含まれる複数のセルに異なるＣＱＩテーブルが設定されることも考えられる。なお、所定のセルグループは、上り制御情報（例えば、ＵＣＩ）の送信について、同一セルの上り制御チャネル（例えば、ＰＵＣＣＨ）を利用するセルグループであってもよい。所定のセルグループは、ＰＵＣＣＨグループと呼ばれてもよい。ＰＵＣＣＨが設定されるセルは、プライマリセル、ＰＳＣｅｌｌ、又はＰＵＣＣＨ  ＳＣｅｌｌと呼ばれてもよい。
【００５３】
各セルに対応するＣＳＩ報告のタイミング（又は、ＣＳＩの送信タイミング）が重複する場合、ＣＳＩ報告をどのように制御するかが問題となる。例えば、所定のセルグループに含まれる各セルのＣＳＩの送信タイミングが重複する場合、送信条件（例えば、符号化率等）が満たされない場合には、全てのセルに対応するＣＳＩを送信することは困難となる。
【００５４】
そこで、第１の態様では、セルに対応するＣＳＩの送信タイミングが重複する場合、以下のＣＳＩ送信制御＃１−＃３の少なくとも一つを適用して、ＣＳＩの送信を行う。
【００５５】
＜ＣＳＩ送信制御＃１＞
所定のセルグループに対して、第１のＣＱＩテーブルと、第２のＣＱＩテーブルが同時に設定されないように制御する。第１のＣＱＩテーブルは、例えば、図３Ａに示すＣＱＩテーブル１及び図３Ｂに示すＣＱＩテーブル２の少なくとも一つであり、第２のＣＱＩテーブルは、例えば、図４に示すＣＱＩテーブル３であってもよい。つまり、所定セルグループに含まれるセルに、ＣＱＩテーブル３と、ＣＱＩテーブル１又はＣＱＩテーブル２とが混在して設定されないように制御する。
【００５６】
基地局は、所定のセルグループに含まれる所定セルに対してＣＱＩテーブル３を利用したＣＳＩ報告を設定する場合、他のセルに対してＣＱＩテーブル１又はＣＱＩテーブル２を利用したＣＳＩ報告を設定しない（ＣＱＩテーブル３を利用したＣＳＩ報告を行う）ように制御する。ＵＥは、所定のセルグループに含まれる異なるセルに対して、ＣＱＩテーブル３と、ＣＱＩテーブル１又はＣＱＩテーブル２と、が同時に設定されないと想定してＣＳＩの送信を制御してもよい。
【００５７】
これにより、所定のセルグループにおいて、ＣＱＩテーブル３を利用したＣＳＩ報告の送信タイミングと、ＣＱＩテーブル１又はＣＱＩテーブル２を利用したＣＳＩ報告の送信タイミングと、が重複することを抑制できる。
【００５８】
＜ＣＳＩ送信制御＃２＞
所定のセルグループに含まれる複数のセルのＣＳＩの送信タイミングが重複する場合に、適用するＣＱＩテーブル種別に基づいて、ＣＳＩ報告を制御する。
【００５９】
例えば、所定のセルグループに含まれる第１のセルが第１のＣＱＩテーブルを利用したＣＳＩ報告を行い、所定セルグループに含まれる第２のセルが第２のＣＱＩテーブルを利用したＣＳＩ報告を行う場合を想定する。つまり、ＵＥは、基地局から通知される上位レイヤシグナリングにより、第１のセルのＣＳＩ報告に対して第１のＣＱＩテーブル（ＣＱＩテーブル１又はＣＱＩテーブル２）が設定され、第２のセルのＣＳＩ報告に対して第２のＣＱＩテーブル（ＣＱＩテーブル３）が設定される。
【００６０】
ＵＥは、第１のＣＱＩテーブルを利用したＣＳＩの送信タイミングと、第２のＣＱＩテーブルを利用したＣＳＩの送信タイミングが重複する場合、例えば、第１のＣＱＩテーブルを利用したＣＳＩを送信しない（例えば、ドロップする）ように制御する（図５参照）。図５では、第１のＣＱＩテーブルを利用した第１のＣＳＩの報告周期が５スロット、第２のＣＱＩテーブルを利用した第２のＣＳＩの報告周期が１０スロットである場合を示している。
【００６１】
この場合、スロット＃０、スロット＃１０において、第１のＣＳＩの送信タイミングと第２のＣＳＩの送信タイミングが重複するため、第１のＣＳＩをドロップし、第２のＣＳＩを送信するように制御する。第２のＣＳＩの送信を優先することにより、低遅延及び高信頼性が必要となる通信（例えば、ＵＲＬＬＣ）の品質が劣化することを抑制できる。
【００６２】
また、ＵＥは、ＣＳＩ送信に利用する上り制御チャネル（例えば、ＰＵＣＣＨ）が複数（例えば、２つ）のＣＳＩ送信をサポートする場合であっても、第１のＣＳＩと第２のＣＳＩの一方のみを送信するように制御してもよい（図６参照）。図６では、所定のセルグループに含まれる第１のセル及び第２のセルが第１のＣＱＩテーブルを利用したＣＳＩ報告を行い、当該所定セルグループに含まれる第３のセルが第２のＣＱＩテーブルを利用したＣＳＩ報告を行う場合を示している。
【００６３】
図６では、スロット＃５、スロット＃１５において、第１のＣＳＩ同士の送信タイミングが重複するため、各セルの第１のＣＳＩを所定セルのＰＵＣＣＨに多重して送信する。一方で、スロット＃０、スロット＃１０において、第１のＣＳＩの送信タイミングと第２のＣＳＩの送信タイミングが重複するため、第１のＣＳＩをドロップし、第２のＣＳＩを送信するように制御する。
【００６４】
このように、第１のＣＱＩテーブル（例えば、ＣＱＩテーブル１又は２）を利用したＣＳＩと、第２のＣＱＩテーブル（例えば、ＣＱＩテーブル３）を利用したＣＳＩの同時送信を行わないように制御することにより、特に低符号化率領域でのＣＱＩ報告粒度を高めており、高信頼性が要求される通信に好適な第２のＣＱＩが、第１のＣＱＩと多重され、ペイロードが増加し信頼性が劣化することを回避することができる。
【００６５】
＜ＣＳＩ送信制御＃３＞
所定のセルグループに含まれる複数のセルのＣＳＩの送信タイミングが重複する場合に、所定条件を満たすまでは複数のＣＳＩを多重して送信し、所定条件を満たさない場合には適用するＣＱＩテーブル種別に基づいて、ＣＳＩ報告を制御する。
【００６６】
例えば、所定のセルグループに含まれる第１のセルが第１のＣＱＩテーブルを利用した第１のＣＳＩ報告を行い、所定セルグループに含まれる第２のセルが第２のＣＱＩテーブルを利用した第２のＣＳＩ報告を行う場合を想定する。ＵＥは、第１のＣＳＩの送信タイミングと、第２のＣＳＩの送信タイミングが重複する場合、所定条件の範囲内（例えば、符号化率が所定値以下）では第１のＣＳＩと第２のＣＳＩを多重して送信を行う。例えば、所定セルのＰＵＣＣＨ又はＰＵＳＣＨに第１のＣＳＩと第２のＣＳＩを多重する。
【００６７】
一方で、所定条件の範囲を超える場合、第１のＣＳＩを送信せず（例えば、ドロップし）、第２のＣＳＩを送信するように制御する。
【００６８】
図７では、所定のセルグループに含まれる第１のセル及び第２のセルが第１のＣＱＩテーブルを利用したＣＳＩ報告を行い、所定セルグループに含まれる第３のセルが第２のＣＱＩテーブルを利用したＣＳＩ報告を行う場合を示している。
【００６９】
図７では、スロット＃５、スロット＃１５において、第１のＣＳＩ同士の送信タイミングが重複するため、各セルの第１のＣＳＩを所定セルのＰＵＣＣＨに多重して送信する。同様に、スロット＃０、スロット＃１０において、第１のＣＳＩの送信タイミングと第２のＣＳＩの送信タイミングが重複するため、所定条件を満たす場合には第１のＣＳＩと第２のＣＳＩを所定セルのＰＵＣＣＨに多重して送信する。
【００７０】
このように、所定条件の範囲内では、複数のＣＳＩを出来るだけ送信するように制御することにより、各セルの通信品質の劣化を抑制することができる。また、所定条件を超える場合第２のＣＳＩの送信を優先することにより、少なくとも低遅延及び高信頼性が必要となる通信（例えば、ＵＲＬＬＣ）の品質が劣化することを抑制できる。
【００７１】
＜ＣＳＩ送信の優先度＞
ＣＳＩ送信制御＃２、＃３において所定のＣＳＩをドロップする場合、以下の手順にしたがってドロップするＣＳＩ（又は、送信を行うＣＳＩ）を決定してもよい。
【００７２】
ステップ１：送信を行うＣＳＩ種別を以下の優先順位に基づいて決定する
ＰＵＳＣＨを利用したＡ−ＣＳＩ＞ＰＵＳＣＨを利用したＳＰ−ＣＳＩ＞ＰＵＣＣＨを利用したＳＰ−ＣＳＩ＞ＰＵＣＣＨを利用したＰ−ＣＳＩ
【００７３】
ステップ２：ステップ１において優先度が同じ複数のＣＳＩがある場合、以下の優先順位に基づいて決定する
Ｌ１−ＲＳＲＰの送信を行うＣＳＩ＞Ｌ１−ＲＳＲＰの送信を行わないＣＳＩ
【００７４】
ステップ３：ステップ２において優先度が同じ複数のＣＳＩがある場合、以下の優先順位に基づいて決定する
サービングセルインデックスが低いＣＳＩ＞サービングセルインデックスが高いＣＳＩ
【００７５】
ステップ４：ステップ３において優先度が同じ複数のＣＳＩがある場合、以下の優先順位に基づいて決定する
報告構成ＩＤ（reportConfigID）が低いＣＳＩ＞報告構成ＩＤ（reportConfigID）が高いＣＳＩ
【００７６】
なお、ＣＱＩテーブル種別に基づいてＣＳＩの送信を行う優先度を決定する場合、以下の優先順位に基づいて決定する
ＣＱＩテーブル３を利用するＣＳＩ＞ＣＱＩテーブル１又は２を利用するＣＳＩ
【００７７】
ＣＱＩテーブル種別に基づく優先順位の適用は、ステップ１の前（ステップ０）、ステップ１と２の間（ステップ１．５）、ステップ２と３の間（ステップ２．５）、ステップ３と４の間（ステップ３．５）、又はステップ４の後（ステップ５）のいずれか一つに設定してもよい。
【００７８】
このように、ＣＳＩのドロップ（又は、ＣＳＩの送信）を決定する場合に、適用するＣＱＩテーブルを考慮することにより、低遅延及び高信頼性が必要となる通信（例えば、ＵＲＬＬＣ）の品質劣化を抑制することができる。
【００７９】
（第２の態様）
第２の態様では、１以上のセルを利用して通信を行う場合、所定条件（又は、所定ルール）に基づいて送達確認信号（ＨＡＲＱ−ＡＣＫ）の送信を制御する。なお、以下の説明において、セルは、コンポーネントキャリア（ＣＣ）と読み替えてもよい。なお、以下の説明では、ＨＡＲＱ−ＡＣＫをＰＵＣＣＨで送信する場合を例に挙げるが、ＰＵＳＣＨに多重する場合も同様に適用してもよい。
【００８０】
ＵＥがＰＤＳＣＨの受信、又はＰＵＳＣＨの送信（グラントベース、又は設定グラントベース）を行う場合、ネットワーク（例えば、基地局）から上位レイヤシグナリング及びＤＣＩの少なくとも一つを用いて指定されたＭＣＳテーブルを適用する。
【００８１】
ＭＣＳテーブルを指定する上位レイヤパラメータ（例えば、mcs-Table）は、ＰＤＳＣＨ構成を指定する上位レイヤパラメータ（例えば、PDSCH-Config）、又はＰＵＳＣＨ構成を指定する上位レイヤパラメータ（例えば、PUSCH-Config、又はConfiguredGrantConfig）に含まれる。ＰＤＳＣＨ構成（又は、ＰＵＳＣＨ構成）は、ＢＷＰを指定する上位レイヤパラメータに含まれる。また、ＢＷＰはサービングセル毎に設定される。
【００８２】
つまり、ＭＣＳテーブルは、少なくともセル毎（又は、少なくともＢＷＰ毎）にそれぞれ設定される。この場合、複数のセルを利用した通信（例えば、ＣＡ又はＤＣ）を行う場合、セル毎（又は、セル内のＢＷＰ毎）に異なるＭＣＳテーブルが設定されるケースも生じ得る。
【００８３】
例えば、所定のセルグループに含まれる複数のセルに異なるＭＣＳテーブルが設定されることも考えられる。なお、所定のセルグループは、上り制御情報（例えば、ＵＣＩ）の送信について、同一セルの上り制御チャネル（例えば、ＰＵＣＣＨ）を利用するセルグループであってもよい。所定のセルグループは、ＰＵＣＣＨグループと呼ばれてもよい。ＰＵＣＣＨが設定されるセルは、プライマリセル、ＰＳＣｅｌｌ、又はＰＵＣＣＨ  ＳＣｅｌｌと呼ばれてもよい。
【００８４】
各セルで送信されるＰＤＳＣＨに対するＨＡＲＱ−ＡＣＫのフィードバックタイミング（又は、ＨＡＲＱ−ＡＣＫの送信タイミング）が重複する場合、ＨＡＲＱ−ＡＣＫの送信をどのように制御するかが問題となる。例えば、所定のセルグループ（又は、所定セル）に含まれる各セル（又は、各ＢＷＰ）のＰＤＳＣＨに対するＨＡＲＱ−ＡＣＫの送信タイミングが重複する場合、送信条件（例えば、符号化率等）が満たされない場合には、全てのＰＤＳＣＨに対応するＨＡＲＱ−ＡＣＫを送信することは困難となる。
【００８５】
そこで、第２の態様では、各セル（又は、各ＢＷＰ）で送信されるＰＤＳＣＨに対するＨＡＲＱ−ＡＣＫの送信タイミングが重複する場合、以下のＨＡＲＱ−ＡＣＫ送信制御＃１−＃３の少なくとも一つを適用して、ＨＡＲＱ−ＡＣＫの送信を行う。なお、以下の説明において、セルは、セル内のＢＷＰと読み替えられてもよいし、所定のグループは、所定セルと読み替えられてもよい。
【００８６】
＜ＨＡＲＱ−ＡＣＫ送信制御＃１＞
所定のセルグループに対して、第１のＭＣＳテーブルと、第２のＭＣＳテーブルが同時に設定（又は、指定）されないように制御する。第１のＭＣＳテーブルは、例えば、図１Ａに示すＭＣＳテーブル１及び図１Ｂに示すＭＣＳテーブル２の少なくとも一つであり、第２のＭＣＳテーブルは、例えば、図２に示すＭＣＳテーブル３であってもよい。つまり、所定セルグループに含まれるセルに、ＭＣＳテーブル３と、ＭＣＳテーブル１又はＭＣＳテーブル２とが混在して設定されないように制御する。
【００８７】
基地局は、所定のセルグループに含まれる所定セルに対してＭＣＳテーブル３を利用したＰＤＳＣＨの受信（又は、ＰＵＳＣＨの送信）を設定する場合、他のセルに対してＭＣＳテーブル１又はＭＣＳテーブル２を利用したＰＤＳＣＨの受信を設定しない（ＭＣＳテーブル３を利用したＰＤＳＣＨ受信を行う）ように制御する。ＵＥは、所定のセルグループに含まれる異なるセルに対して、ＭＣＳテーブル３と、ＭＣＳテーブル１又はＭＣＳテーブル２と、が同時に設定されないと想定してＰＤＳＣＨの受信と当該ＰＤＳＣＨに対するＨＡＲＱ−ＡＣＫの送信を制御してもよい。
【００８８】
これにより、所定のセルグループにおいて、ＭＣＳテーブル３を利用して受信したＰＤＳＣＨに対するＨＡＲＱ−ＡＣＫの送信タイミングと、ＭＣＳテーブル１又はＭＣＳテーブル２を利用して受信したＰＤＳＣＨに対するＨＡＲＱ−ＡＣＫの送信タイミングと、が重複することを抑制できる。
【００８９】
＜ＨＡＲＱ−ＡＣＫ送信制御＃２＞
所定のセルグループに含まれる複数のセルのＰＤＳＣＨに対するＨＡＲＱ−ＡＣＫの送信タイミングが重複する場合に、適用するＭＣＳテーブル種別に基づいて、ＨＡＲＱ−ＡＣＫの送信を制御する。
【００９０】
例えば、所定のセルグループに含まれる第１のセルが第１のＭＣＳテーブルを利用して受信したＰＤＳＣＨに対するＨＡＲＱ−ＡＣＫの送信を行い、所定セルグループに含まれる第２のセルが第２のＭＣＳテーブルを利用して受信したＰＤＳＣＨに対するＨＡＲＱ−ＡＣＫの送信を行う場合を想定する。つまり、ＵＥは、基地局から通知される上位レイヤシグナリング及びＤＣＩの少なくとも一方により、第１のセルのＰＤＳＣＨのスケジューリングに対して第１のＭＣＳテーブル（ＭＣＳテーブル１又はＭＣＳテーブル２）が設定され、第２のセルのＰＤＳＣＨのスケジューリングに対して第２のＭＣＳテーブル（ＭＣＳテーブル３）が設定される。
【００９１】
ＵＥは、第１のＭＣＳテーブルを利用して受信したＰＤＳＣＨに対する第１のＨＡＲＱ−ＡＣＫの送信タイミングと、第２のＭＣＳテーブルを利用して受信したＰＤＳＣＨに対する第２のＨＡＲＱ−ＡＣＫの送信タイミングが重複する場合、例えば、第１のＨＡＲＱ−ＡＣＫを送信しない（例えば、ドロップする）ように制御する。例えば、図５において、ＣＳＩ報告をＨＡＲＱ−ＡＣＫフィードバックに読み替え、ＣＱＩテーブルをＭＣＳテーブルに読み替える場合を想定する。
【００９２】
この場合、第１のＭＣＳテーブルを利用して受信したＰＤＳＣＨに対する第１のＨＡＲＱ−ＡＣＫをスロット＃０、＃１０で送信し、第２のＭＣＳテーブルを利用して受信したＰＤＳＣＨに対する第２のＨＡＲＱ−ＡＣＫをスロット＃０、＃５、＃１０、＃１５で送信することになる。
【００９３】
スロット＃０、＃１０において、第１のＨＡＲＱ−ＡＣＫの送信タイミングと第２のＨＡＲＱ−ＡＣＫの送信タイミングが重複するため、第１のＨＡＲＱ−ＡＣＫをドロップし、第２のＨＡＲＱ−ＡＣＫを送信するように制御する。第２のＨＡＲＱ−ＡＣＫの送信を優先することにより、低遅延及び高信頼性が必要となる通信（例えば、ＵＲＬＬＣ）の品質が劣化することを抑制できる。
【００９４】
また、ＵＥは、ＨＡＲＱ−ＡＣＫ送信に利用する上り制御チャネル（例えば、ＰＵＣＣＨ）が複数（例えば、２つ）のＨＡＲＱ−ＡＣＫ送信をサポートする場合であっても、第１のＨＡＲＱ−ＡＣＫと第２のＨＡＲＱ−ＡＣＫの一方のみを送信するように制御してもよい。例えば、図６において、ＣＳＩ報告をＨＡＲＱ−ＡＣＫフィードバックに読み替え、ＣＱＩテーブルをＭＣＳテーブルに読み替える場合を想定する。
【００９５】
この場合、所定のセルグループに含まれる第１のセル及び第２のセルが第１のＭＣＳテーブルを利用したＨＡＲＱ−ＡＣＫ送信を行い、所定セルグループに含まれる第３のセルが第２のＭＣＳテーブルを利用したＨＡＲＱ−ＡＣＫ送信を行う場合を示している。
【００９６】
スロット＃５、スロット＃１５において、第１のＨＡＲＱ−ＡＣＫ同士の送信タイミングが重複するため、各セル（ここでは、ＣＣ＃１、ＣＣ＃２）の第１のＨＡＲＱ−ＡＣＫを所定セルのＰＵＣＣＨに多重して送信する。一方で、スロット＃０、スロット＃１０において、第１のＨＡＲＱ−ＡＣＫの送信タイミングと第２のＨＡＲＱ−ＡＣＫの送信タイミングが重複するため、第１のＨＡＲＱ−ＡＣＫをドロップし、第２のＨＡＲＱ−ＡＣＫを送信するように制御する。
【００９７】
＜ＨＡＲＱ−ＡＣＫ送信制御＃３＞
所定のセルグループに含まれる複数のセルのＰＤＳＣＨに対するＨＡＲＱ−ＡＣＫの送信タイミングが重複する場合に、所定条件を満たすまでは複数のＨＡＲＱ−ＡＣＫを多重し、所定条件を満たさない場合には適用するＭＣＳテーブル種別に基づいて、ＨＡＲＱ−ＡＣＫの送信を制御する。
【００９８】
例えば、所定のセルグループに含まれる第１のセルが第１のＭＣＳテーブルを利用して受信したＰＤＳＣＨに対するＨＡＲＱ−ＡＣＫの送信を行い、所定セルグループに含まれる第２のセルが第２のＭＣＳテーブルを利用して受信したＰＤＳＣＨに対するＨＡＲＱ−ＡＣＫの送信を行う場合を想定する。
【００９９】
ＵＥは、第１のＭＣＳテーブルを利用して受信したＰＤＳＣＨに対する第１のＨＡＲＱ−ＡＣＫの送信タイミングと、第２のＭＣＳテーブルを利用して受信したＰＤＳＣＨに対する第２のＨＡＲＱ−ＡＣＫの送信タイミングが重複する場合、所定条件の範囲内（例えば、符号化率が所定値以下）では第１のＨＡＲＱ−ＡＣＫと第２のＨＡＲＱ−ＡＣＫを多重して送信を行う。例えば、所定セルのＰＵＣＣＨ又はＰＵＳＣＨに第１のＨＡＲＱ−ＡＣＫと第２のＨＡＲＱ−ＡＣＫを多重する。
【０１００】
一方で、所定条件の範囲を超える場合、第１のＨＡＲＱ−ＡＣＫを送信せず（例えば、ドロップし）、第２のＨＡＲＱ−ＡＣＫを送信するように制御する。例えば、図７において、ＣＳＩ報告をＨＡＲＱ−ＡＣＫフィードバックに読み替え、ＣＱＩテーブルをＭＣＳテーブルに読み替える場合を想定する。
【０１０１】
この場合、スロット＃５、スロット＃１５において、第１のＨＡＲＱ−ＡＣＫ同士の送信タイミングが重複するため、各セルの第１のＨＡＲＱ−ＡＣＫを所定セルのＰＵＣＣＨに多重して送信する。同様に、スロット＃０、スロット＃１０において、第１のＨＡＲＱ−ＡＣＫの送信タイミングと第２のＨＡＲＱ−ＡＣＫの送信タイミングが重複するため、所定条件を満たす場合には第１のＨＡＲＱ−ＡＣＫと第２のＨＡＲＱ−ＡＣＫを所定セルのＰＵＣＣＨに多重して送信する。
【０１０２】
このように、所定条件の範囲内では、複数のＨＡＲＱ−ＡＣＫを出来るだけ送信するように制御することにより、各セルの通信品質の劣化を抑制することができる。また、所定条件を超える場合第２のＨＡＲＱ−ＡＣＫの送信を優先することにより、少なくとも低遅延及び高信頼性が必要となる通信（例えば、ＵＲＬＬＣ）の品質が劣化することを抑制できる。
【０１０３】
＜ＨＡＲＱ−ＡＣＫの多重制御＞
ＨＡＲＱ−ＡＣＫ送信制御＃３において第１のＨＡＲＱ−ＡＣＫと第２のＨＡＲＱ−ＡＣＫを多重して送信する場合、ＨＡＲＱ−ＡＣＫコードブックにおけるＨＡＲＱ−ＡＣＫビットを多重する順番（A/N  bit  order）を以下のオプション１又はオプション２に基づいて制御してもよい。
【０１０４】
［オプション１］
オプション１では、ＰＤＳＣＨの受信に利用したＭＣＳテーブルの種別に関わらず（ＭＣＳテーブル種別を考慮せず）ＨＡＲＱ−ＡＣＫコードブックにおけるＡ／Ｎビット順序を制御する。例えば、セルインデックス、ＰＤＳＣＨオケージョン又はＨＡＲＱ−ＡＣＫの送信タイミング、及びＤＬ割当て識別子（カウンタＤＡＩ）の少なくとも一つに基づいて、各セルのＰＤＳＣＨに対するＨＡＲＱ−ＡＣＫビットの順序を決定する。
【０１０５】
図８Ａは、ＭＣＳテーブルの種別に関わらず、ＨＡＲＱ−ＡＣＫコードブックにおけるＡ／Ｎビット順序を制御する場合の一例を示す図である。この場合、第１のＭＣＳテーブルを利用して受信したＰＤＳＣＨに対する第１のＨＡＲＱ−ＡＣＫと、第２のＭＣＳテーブルを利用して受信したＰＤＳＣＨに対する第２のＨＡＲＱ−ＡＣＫの配置順序は分散されて配置され得る。
【０１０６】
なお、第１のＭＣＳテーブルを利用して受信したＰＤＳＣＨは、Ｃ−ＲＮＴＩ（Cell  RNTI）又はＣＳ−ＲＮＴＩ（Configured  Scheduling  RNTI）でＣＲＣスクランブルされたＤＣＩでスケジュールされたＰＤＳＣＨであってもよい。また、第２のＭＣＳテーブルを利用して受信したＰＤＳＣＨは、新規ＲＮＴＩでＣＲＣスクランブルされたＤＣＩでスケジューリングされたＰＤＳＣＨであってもよい。
【０１０７】
ＣＳ−ＲＮＴＩは、動的スケジューリングなしの下り送信及び上り送信の少なくとも一つの制御に用いられる。当該下り送信は、セミパーシステントスケジューリング（ＳＰＳ）、セミパーシステント送信、下りＳＰＳ等とも呼ばれる。また、当該上り送信は、設定グラントベース送信、上り設定グラントベース送信等とも呼ばれる。設定グラントベース送信では、ＣＳ−ＲＮＴＩでＣＲＣスクランブルされるＤＣＩにより、所定周期のＰＵＳＣＨ送信のアクティブ化、非アクティブ化及び再送の少なくとも一つが制御されてもよい。動的グラントベース送信（初送又は再送）のでは、Ｃ−ＲＮＴＩでＣＲＣスクランブルされるＤＣＩにより、スケジューリングが制御されてもよい。
【０１０８】
ＭＣＳテーブルの種別に関わらず、ＨＡＲＱ−ＡＣＫコードブックにおけるＡ／Ｎビット順序を制御することにより、既存システムと同様に制御できるためＵＥの処理負荷の増加を抑制できる。
【０１０９】
［オプション２］
オプション２では、ＰＤＳＣＨの受信に利用したＭＣＳテーブルの種別に基づいて（ＭＣＳテーブル種別を考慮して）ＨＡＲＱ−ＡＣＫコードブックにおけるＡ／Ｎビット順序を制御する。例えば、所定のＭＣＳテーブル種別を利用して受信したＰＤＳＣＨに対するＨＡＲＱ−ＡＣＫビットをＨＡＲＱ−ＡＣＫコードブックの先頭領域に配置する。
【０１１０】
図８Ｂは、ＭＣＳテーブルの種別に基づいて、ＨＡＲＱ−ＡＣＫコードブックにおけるＡ／Ｎビット順序を制御する場合の一例を示す図である。この場合、第２のＭＣＳテーブルを利用して受信したＰＤＳＣＨに対する第２のＨＡＲＱ−ＡＣＫのビットを、第１のＭＣＳテーブルを利用して受信したＰＤＳＣＨに対する第１のＨＡＲＱ−ＡＣＫビットより前に配置する。これにより、低遅延及び高信頼性が必要となる通信（例えば、ＵＲＬＬＣ）のＨＡＲＱ−ＡＣＫビットを先頭領域に配置できるため、遅延を効果的に抑制できる。
【０１１１】
なお、第１のＭＣＳテーブルを利用して受信したＰＤＳＣＨは、Ｃ−ＲＮＴＩ又はＣＳ−ＲＮＴＩでＣＲＣスクランブルされたＤＣＩでスケジュールされたＰＤＳＣＨであってもよい。また、第２のＭＣＳテーブルを利用して受信したＰＤＳＣＨは、新規ＲＮＴＩでＣＲＣスクランブルされたＤＣＩでスケジューリングされたＰＤＳＣＨであってもよい。
【０１１２】
（第３の態様）
第３の態様では、新規のＲＮＴＩ（ＭＣＳ  ＲＮＴＩとも呼ぶ）を利用して送信及び受信の少なくとも一つを制御する。
【０１１３】
新規ＲＮＴＩが設定されたＵＥは、当該新規ＲＮＴＩを以下の動作（１）−（５）に適用してもよい。新規ＲＮＴＩは、上位レイヤでＵＥに設定されてもよい。また、新規ＲＮＴＩは、ＭＣＳテーブルの選択に利用されるＤＣＩのＣＲＣスクランブルに適用されるＲＮＴＩであってもよい。
【０１１４】
（１）物理共有チャネルのＣＲＣスクランブル
新規ＲＮＴＩは、物理共有チャネル（ＰＤＳＣＨ及びＰＵＳＣＨデータの少なくとも一方）のＣＲＣスクランブルに適用されてもよい。
【０１１５】
新規ＲＮＴＩによりＣＲＣスクランブルされたＤＣＩでＰＤＳＣＨがスケジューリングされる場合、ＵＥは、当該ＤＣＩでスケジュールされたＰＤＳＣＨのＣＲＣも新規ＲＮＴＩでスクランブルされていると想定して受信を制御してもよい。
【０１１６】
また、新規ＲＮＴＩによりＣＲＣスクランブルされたＤＣＩでＰＵＳＣＨがスケジューリングされる場合、ＵＥは、当該ＤＣＩでスケジュールされたＰＵＳＣＨのＣＲＣも新規ＲＮＴＩでスクランブルして送信を行ってもよい。
【０１１７】
かかる場合、ＤＣＩとＰＤＳＣＨ又はＰＵＳＣＨに対して同じＲＮＴＩを用いてＣＲＣをスクランブルすればよいため、複数のＲＮＴＩをメモリに保持する必要がなくなり、端末チップサイズの削減又は消費電力低減を実現できる。
【０１１８】
（２）物理共有チャネル用のＤＭＲＳ系列生成
新規ＲＮＴＩは、物理共有チャネル（ＰＤＳＣＨ及びＰＵＳＣＨデータの少なくとも一方）用の復調用参照信号（例えば、ＤＭＲＳ）の系列生成に適用されてもよい。
【０１１９】
新規ＲＮＴＩによりＣＲＣスクランブルされたＤＣＩでＰＤＳＣＨがスケジューリングされる場合、ＵＥは、当該ＤＣＩでスケジュールされたＰＤＳＣＨ用の下りＤＭＲＳ系列が新規ＲＮＴＩを利用して生成されていると想定して受信を制御してもよい。
【０１２０】
また、新規ＲＮＴＩによりＣＲＣスクランブルされたＤＣＩでＰＵＳＣＨがスケジューリングされる場合、ＵＥは、当該ＤＣＩでスケジュールされたＰＵＳＣＨ用の上りＤＭＲＳ系列を新規ＲＮＴＩに基づいて生成（又は、決定）してもよい。
【０１２１】
かかる場合、ＤＣＩのＣＲＣスクランブルとＰＤＳＣＨ又はＰＵＳＣＨのＲＳに対して同じＲＮＴＩを用いればよいため、複数のＲＮＴＩをメモリに保持する必要がなくなり、端末チップサイズの削減又は消費電力低減を実現できる。
【０１２２】
（３）物理共有チャネル用のＰＴ−ＲＳマッピング
新規ＲＮＴＩは、物理共有チャネル（ＰＤＳＣＨ及びＰＵＳＣＨデータの少なくとも一方）用の位相追従参照信号（ＰＴＲＳ：Phase  Tracking  Reference  Signal）のマッピング（例えば、割当て）に適用されてもよい。
【０１２３】
新規ＲＮＴＩによりＣＲＣスクランブルされたＤＣＩでＰＤＳＣＨがスケジューリングされる場合、ＵＥは、当該ＤＣＩでスケジュールされたＰＤＳＣＨ用の下りＰＴ−ＲＳ位置（PT-RS  position）が新規ＲＮＴＩに基づいて決定されると想定して受信を制御してもよい。
【０１２４】
新規ＲＮＴＩによりＣＲＣスクランブルされたＤＣＩでＰＵＳＣＨがスケジューリングされる場合、ＵＥは、当該ＤＣＩでスケジュールされたＰＵＳＣＨ用の上りＰＴ−ＲＳ位置（PT-RS  position）を新規ＲＮＴＩに基づいて決定してもよい。
【０１２５】
かかる場合、ＤＣＩのＣＲＣスクランブルとＰＤＳＣＨ又はＰＵＳＣＨのＰＴ−ＲＳマッピングに対して同じＲＮＴＩを用いればよいため、複数のＲＮＴＩをメモリに保持する必要がなくなり、端末チップサイズの削減又は消費電力低減を実現できる。
【０１２６】
（４）物理制御チャネルのＣＲＳスクランブル
新規ＲＮＴＩは、物理共有チャネル（ＰＤＣＣＨ及びＰＵＣＣＨの少なくとも一方）のＣＲＣスクランブルに適用されてもよい。
【０１２７】
ＭＣＳテーブル３が適用されたＰＤＳＣＨに対するＨＡＲＱ−ＡＣＫをＰＵＣＣＨ（又は、当該ＨＡＲＱ−ＡＣＫを含むＰＵＣＣＨ）を送信する場合、ＵＥは、ＰＵＣＣＨで送信するＵＣＩペイロードのＣＲＣを新規ＲＴＮＩでスクランブルしてもよい。あるいは、ＣＱＩテーブル３を利用したＣＳＩを送信する場合、ＵＥは、ＰＵＣＣＨで送信するＵＣＩペイロードのＣＲＣを新規ＲＴＮＩでスクランブルしてもよい。
【０１２８】
なお、新規ＲＮＴＩを利用したスクランブルは、ＵＣＩペイロードが所定値以上となる場合に限定してもよい。ＵＣＩペイロードの大きさに応じて異なるＣＲＣビット数が用いられる場合、これにより、ＣＲＣビット数が新規ＲＮＴＩよりも短い場合にも適切に制御することができる。
【０１２９】
かかる場合、ＤＣＩと対応するＵＣＩのＣＲＣスクランブルに対して同じＲＮＴＩを用いればよいため、複数のＲＮＴＩをメモリに保持する必要がなくなり、端末チップサイズの削減又は消費電力低減を実現できる。
【０１３０】
（５）物理上り制御チャネル系列生成
新規ＲＮＴＩは、物理上り制御チャネル（例えば、ＰＵＣＣＨ）の系列生成に適用されてもよい。
【０１３１】
ＭＣＳテーブル３が適用されたＰＤＳＣＨに対するＨＡＲＱ−ＡＣＫをＰＵＣＣＨ（又は、当該ＨＡＲＱ−ＡＣＫを含むＰＵＣＣＨ）を送信する場合、ＵＥは、新規ＲＮＴＩを利用してＰＵＣＣＨの系列を生成してもよい。
【０１３２】
かかる場合、ＤＣＩと対応するＵＣＩのＣＲＣスクランブルに対して同じＲＮＴＩを用いればよいため、複数のＲＮＴＩをメモリに保持する必要がなくなり、端末チップサイズの削減又は消費電力低減を実現できる。
【０１３３】
＜新規ＲＮＴＩを非適用＞
あるいは、新規ＲＮＴＩが設定されたＵＥは、当該新規ＲＮＴＩを上述した動作（１）−（５）のうち少なくとも一つの動作には適用しないように制御してもよい。この場合、新規ＲＮＴＩのかわりに、他のＲＮＴＩ（例えば、Ｃ−ＲＮＴＩ、又はＣＳ−ＲＮＴＩ等）を適用してもよい。
【０１３４】
＜バリエーション＞
ＰＵＣＣＨ又はＰＵＳＣＨで送信するＵＣＩについて、新規ＲＮＴＩを適用したＤＣＩでスケジューリングされたＰＤＳＣＨに対するＨＡＲＱ−ＡＣＫがＵＣＩペイロードに少なくとも一つでも含まれる場合、ＵＥは、新規ＲＮＴＩに基づいてＵＣＩ（ＣＲＣを付加するＵＣＩ）のスクランブルを行ってもよい。
【０１３５】
あるいは、ＰＵＣＣＨ又はＰＵＳＣＨで送信するＵＣＩについて、ＵＣＩペイロードに含まれる全てのＨＡＲＱ−ＡＣＫが新規ＲＮＴＩを適用したＤＣＩでスケジューリングされたＰＤＳＣＨに対するＨＡＲＱ−ＡＣＫに相当する場合、ＵＥは、新規ＲＮＴＩに基づいてＵＣＩ（ＣＲＣを付加するＵＣＩ）のＣＲＣのスクランブルを行ってもよい。
【０１３６】
あるいは、ＰＵＣＣＨ又はＰＵＳＣＨで送信するＵＣＩについて、ＵＣＩペイロードに含まれる全てのＨＡＲＱ−ＡＣＫが新規ＲＮＴＩを適用したＤＣＩでスケジューリングされたＰＤＳＣＨに対するＨＡＲＱ−ＡＣＫに相当し、且つＣＳＩ報告が含まれない場合、ＵＥは、新規ＲＮＴＩに基づいてＵＣＩ（ＣＲＣを付加するＵＣＩ）のＣＲＣのスクランブルを行ってもよい。
【０１３７】
あるいは、ＰＵＣＣＨ又はＰＵＳＣＨで送信するＵＣＩについて、新規ＲＮＴＩを適用したＤＣＩでスケジューリングされたＰＤＳＣＨに対するＨＡＲＱ−ＡＣＫが多重される場合であっても（又は、多重されるか否かに関わらず）、ＵＥは、Ｃ−ＲＮＴＩ又はＣＳ−ＲＮＴＩに基づいてＵＣＩ（ＣＲＣを付加するＵＣＩ）のＣＲＣのスクランブルを行ってもよい。
【０１３８】
（第４の態様）
第４の態様では、適用するＭＣＳテーブル、ＣＱＩテーブル及びＲＮＴＩの少なくとも一つに基づいて、最大符号化率（Max  Code  Rate）及びベータオフセット（beta  offset）の少なくとも一方を制御する。
【０１３９】
＜最大符号化率＞
基地局は、ＵＥに対してＰＵＣＣＨフォーマット（ＰＦ）毎に複数の最大符号化率を設定してもよい。例えば、基地局は、所定のＰＦ（例えば、ＰＦ２、ＰＦ３及びＦ４の少なくとも一つ）の最大符号化率に関する情報を上位レイヤ（例えば、ＲＲＣシグナリング等）でＵＥに通知する。最大符号化率に関する情報（例えば、maxCodeRate）は、ＰＵＣＣＨフォーマット構成に関する上位レイヤパラメータ（例えば、PUCCH-FormatConfig）に含めてＵＥに通知してもよい。
【０１４０】
ＵＥは、基地局から通知された最大符号化率に基づいて、ＰＵＣＣＨを利用したＵＣＩ（ＨＡＲＱ−ＡＣＫ、スケジューリングリクエスト（ＳＲ）、及びＣＳＩの少なくとも一つ）の送信を制御する。ＰＵＣＣＨ（又は、ＵＣＩ）の最大符号化率は、通信の要求条件が異なるＵＣＩ（例えば、ｅＭＢＢ用ＵＣＩとＵＲＬＬＣ用ＵＣＩ）について別々に設定されてもよい。
【０１４１】
例えば、所定のＰＦに対して第１の最大符号化率と、前記第１の最大符号化率より低い第２の最大符号化率が設定される場合を想定する。この場合、ＵＥは、所定のＰＦを利用してＵＣＩの送信を行う場合、送信するＵＣＩの種別に基づいて第１の最大符号化率と第２の最大符号化率のいずれを適用するかを決定してもよい。
【０１４２】
例えば、ＵＥは、第１のＭＣＳテーブル（ＭＳＣテーブル１又はＭＣＳテーブル２）を利用して受信したＰＤＳＣＨに対するＨＡＲＱ−ＡＣＫをＰＵＣＣＨ（例えば、所定ＰＦ）で送信する場合、第１の最大符号化率に基づいてＰＵＣＣＨの送信を制御する。例えば、所定スロットで送信するＵＣＩの符号化率が第１の最大符号化率以下であればＰＵＣＣＨを利用して少なくともＨＡＲＱ−ＡＣＫを含むＵＣＩの送信を行う。一方で、所定スロットで送信するＵＣＩの符号化率が第１の最大符号化率を超える場合にはＵＣＩ（又は、ＰＵＣＣＨ）をドロップするように制御してもよい（図９Ａ参照）。図９Ａでは、スロット＃０−＃４においてＵＣＩの符号化率が第１の最大符号化率以下であり、スロット＃５においてＵＣＩの符号化率が第１の最大符号化率を超える場合を示している。
【０１４３】
また、ＵＥは、第１のＣＱＩテーブル（ＣＱＩテーブル１又はＣＱＩテーブル２）を適用したＣＳＩをＰＵＣＣＨ（例えば、所定ＰＦ）で送信する場合、第１の最大符号化率に基づいてＰＵＣＣＨの送信を制御する。例えば、所定スロットで送信するＵＣＩの符号化率が第１の最大符号化率以下であればＰＵＣＣＨを利用して少なくともＣＳＩを含むＵＣＩの送信を行う。一方で、所定スロットで送信するＵＣＩの符号化率が第１の最大符号化率を超える場合にはＵＣＩ（又は、ＰＵＣＣＨ）をドロップするように制御してもよい（図９Ａ参照）。
【０１４４】
あるいは、ＵＥは、第２のＭＣＳテーブル（ＭＳＣテーブル３）を利用して受信したＰＤＳＣＨに対するＨＡＲＱ−ＡＣＫをＰＵＣＣＨ（例えば、所定ＰＦ）で送信する場合、第２の最大符号化率に基づいてＰＵＣＣＨの送信を制御する。例えば、所定スロットで送信するＵＣＩの符号化率が第２の最大符号化率以下であればＰＵＣＣＨを利用して少なくともＨＡＲＱ−ＡＣＫを含むＵＣＩの送信を行う。一方で、所定スロットで送信するＵＣＩの符号化率が第２の最大符号化率を超える場合にはＵＣＩ（又は、ＰＵＣＣＨ）をドロップするように制御してもよい（図９Ｂ参照）。図９Ｂでは、スロット＃０−＃１においてＵＣＩの符号化率が第１の最大符号化率以下であり、スロット＃２−＃５においてＵＣＩの符号化率が第２の最大符号化率を超える場合を示している。
【０１４５】
また、ＵＥは、第２のＣＱＩテーブル（ＣＱＩテーブル３）を適用したＣＳＩをＰＵＣＣＨ（例えば、所定ＰＦ）で送信する場合、第２の最大符号化率に基づいてＰＵＣＣＨの送信を制御する。例えば、所定スロットで送信するＵＣＩの符号化率が第２の最大符号化率以下であればＰＵＣＣＨを利用して少なくともＣＳＩを含むＵＣＩの送信を行う。一方で、所定スロットで送信するＵＣＩの符号化率が第２の最大符号化率を超える場合にはＵＣＩ（又は、ＰＵＣＣＨ）をドロップするように制御してもよい（図９Ｂ参照）。
【０１４６】
ＰＵＣＣＨ（又は、ＵＣＩ）の最大符号化率を、通信の要求条件が異なるＵＣＩ（例えば、異なるテーブルに関連するＵＣＩ）について別々に設定することにより、通信の要求条件に応じてＰＵＣＣＨ送信を適切に制御することができる。
【０１４７】
＜ベータオフセット＞
ＵＥは、ＰＵＳＣＨを用いてＵＣＩを伝送（piggyback）する場合に、当該ＵＣＩのために必要なリソース量を決定する必要がある。ＵＥは、当該リソース量の決定に用いられる情報（ベータオフセット（beta  offset）、βＯｆｆｓｅｔなどともいう）に基づいて、ＰＵＳＣＨで伝送されるＵＣＩ用のリソース量を制御してもよい。
【０１４８】
基地局は、ＵＥに対してベータオフセットに関する情報を送信してもよい。例えば、基地局は、ベータオフセットに関する情報を上位レイヤ（例えば、ＲＲＣシグナリング等）でＵＥに通知する。ベータオフセットに関する情報（例えば、BetaOffsets  for  PUSCH）は、ＰＵＳＣＨ構成に関する上位レイヤパラメータ（例えば、PUSCH-Config）、又は設定グラント構成に関する上位レイヤパラメータ（例えば、ConfiguredGrantConfig）に含めてＵＥに通知してもよい。
【０１４９】
ＵＥは、基地局から通知されたベータオフセットに基づいて、ＰＵＳＣＨに多重するＵＣＩ（ＨＡＲＱ−ＡＣＫ、スケジューリングリクエスト（ＳＲ）、及びＣＳＩの少なくとも一つ）のリソース量を制御する。ベータオフセットは、通信の要求条件が異なるＵＣＩ（例えば、ｅＭＢＢ用ＵＣＩとＵＲＬＬＣ用ＵＣＩ）について別々に設定されてもよい。
【０１５０】
例えば、第１のベータオフセットと、前記第２のベータオフセットより値が低い第２のベータオフセットが設定される場合を想定する。この場合、ＵＥは、ＰＵＳＣＨを利用してＵＣＩの送信を行う場合、送信するＵＣＩの種別に基づいて第１のベータオフセットと第２のベータオフセットのいずれを適用するかを決定してもよい。
【０１５１】
例えば、ＵＥは、第１のＭＣＳテーブル（ＭＳＣテーブル１又はＭＣＳテーブル２）を利用して受信したＰＤＳＣＨに対するＨＡＲＱ−ＡＣＫをＰＵＳＣＨで送信する場合、第１のベータオフセットに基づいてＰＵＳＣＨへのＵＣＩ多重を制御する。例えば、所定スロットで送信するＵＣＩが第１のベータオフセット以下であればＰＵＳＣＨを利用して少なくともＨＡＲＱ−ＡＣＫを含むＵＣＩの送信を行う。一方で、所定スロットで送信するＵＣＩが第１のベータオフセットを超える場合にはＰＵＳＣＨに対するＵＣＩの多重を行わないように制御してもよい。
【０１５２】
また、ＵＥは、第１のＣＱＩテーブル（ＣＱＩテーブル１又はＣＱＩテーブル２）を適用したＣＳＩをＰＵＳＣＨで送信する場合、第１のベータオフセットに基づいてＰＵＳＣＨへのＵＣＩの多重を制御する。例えば、所定スロットで送信するＵＣＩが第１のベータオフセット以下であればＰＵＳＣＨを利用して少なくともＣＳＩを含むＵＣＩの送信を行う。一方で、所定スロットで送信するＵＣＩが第１のベータオフセットを超える場合にはＰＵＳＣＨに対するＵＣＩの多重を行わないように制御してもよい。
【０１５３】
あるいは、ＵＥは、第２のＭＣＳテーブル（ＭＳＣテーブル３）を利用して受信したＰＤＳＣＨに対するＨＡＲＱ−ＡＣＫをＰＵＳＣＨで送信する場合、第２のベータオフセットに基づいてＰＵＳＣＨへのＵＣＩ多重を制御する。例えば、所定スロットで送信するＵＣＩが第２のベータオフセット以下であればＰＵＳＣＨを利用して少なくともＨＡＲＱ−ＡＣＫを含むＵＣＩの送信を行う。一方で、所定スロットで送信するＵＣＩが第２のベータオフセットを超える場合にはＰＵＳＣＨに対するＵＣＩの多重を行わないように制御してもよい。
【０１５４】
また、ＵＥは、第２のＣＱＩテーブル（ＣＱＩテーブル３）を適用したＣＳＩをＰＵＳＣＨで送信する場合、第２のベータオフセットに基づいてＰＵＳＣＨへのＵＣＩの多重を制御する。例えば、所定スロットで送信するＵＣＩが第２のベータオフセット以下であればＰＵＳＣＨを利用して少なくともＣＳＩを含むＵＣＩの送信を行う。一方で、所定スロットで送信するＵＣＩが第２のベータオフセットを超える場合にはＰＵＳＣＨに対するＵＣＩの多重を行わないように制御してもよい。
【０１５５】
ベータオフセットを、通信の要求条件が異なるＵＣＩ（例えば、異なるテーブルに関連するＵＣＩ）について別々に設定することにより、通信の要求条件に応じてＰＵＳＣＨを利用したＵＣＩの送信を適切に制御することができる。
【０１５６】
（第５の態様）
第５の態様では、新規ＲＮＴＩ（新規ＭＳＣ  ＲＮＴＩ）が適用されたデータ（例えば、ユニキャストデータ）の送受信処理について説明する。
【０１５７】
時間領域においてオーバラップするデータ（例えば、ユニキャストデータ）の受信処理と送信処理を同時に行うことができないＵＥ（例えば、同時送受信をサポートしないＵＥ）は、いずれか一方の処理を選択して行ってもよい。受信処理は、ＰＤＳＣＨに対する受信処理（例えば、復号処理等）であってもよいし、送信処理は、ＰＵＳＣＨに対する送信処理であってもよい。また、同時送受信のサポート有無は、シンボル単位であってもよいし、スロット単位であってもよい。
【０１５８】
例えば、ＵＥは、ＰＤＳＣＨに適用されるＲＮＴＩと、ＰＵＳＣＨに適用されるＲＮＴＩ種別に基づいて、受信処理と送信処理の一方を選択してもよい。例えば、ＵＥは、新規ＲＮＴＩが適用される処理を優先して行ってもよい。なお、ＰＤＳＣＨに適用されるＲＮＴＩは、当該ＰＤＳＣＨをスケジューリングするＤＣＩに適用されるＲＮＴＩであってもよい。また、ＰＵＳＣＨに適用されるＲＮＴＩは、当該ＰＵＳＣＨをスケジューリングするＤＣＩに適用されるＲＮＴＩであってもよい。
【０１５９】
図１０は、ＰＤＳＣＨとＰＵＳＣＨがオーバラップする場合の一例を示している。この場合、同時送受信をサポートしないＵＥは、時間方向においてオーバラップするＰＤＳＣＨとＰＵＳＣＨのうち、新規ＲＮＴＩを利用してスケジュール（又は設定）されたＰＤＳＣＨの受信、又はＰＵＳＣＨの送信の一方を選択する。
【０１６０】
例えば、ＰＵＳＣＨに適用されるＲＮＴＩが新規ＲＮＴＩであり、ＰＤＳＣＨに適用されるＲＮＴＩが新規ＲＮＴＩ以外のＲＮＴＩ（例えば、Ｃ−ＲＮＴＩ又はＣＳ−ＲＮＴＩ）である場合、ＵＥは、ＰＵＳＣＨの送信を優先して行う。この場合、ＵＥは、ＰＤＳＣＨの受信をキャンセルしてもよい。
【０１６１】
あるいは、ＰＤＳＣＨに適用されるＲＮＴＩが新規ＲＮＴＩであり、ＰＵＳＣＨに適用されるＲＮＴＩが新規ＲＮＴＩ以外のＲＮＴＩ（例えば、Ｃ−ＲＮＴＩ又はＣＳ−ＲＮＴＩ）である場合、ＵＥは、ＰＤＳＣＨの受信を優先して行う。この場合、ＵＥは、ＰＵＳＣＨの送信をキャンセルしてもよい。
【０１６２】
このように、所定のＲＮＴＩ（例えば、新規ＲＮＴＩ）が適用されたＰＤＳＣＨの受信処理又はＰＵＳＣＨの送信処理を優先することにより、低遅延及び高信頼性が必要となる通信（例えば、ＵＲＬＬＣ）の品質が劣化することを抑制できる。なお、新規ＲＮＴＩが適用されたＰＤＳＣＨと新規ＲＮＴＩが適用されたＰＵＳＣＨとがオーバラップする場合、ＲＮＴＩ種別以外の所定条件に基づいていずれか一方の処理を優先して行ってもよい。
【０１６３】
また、新規ＲＮＴＩが適用されたＰＤＳＣＨと、他のＲＮＴＩ（例えば、Ｃ−ＲＮＴＩ、ＣＳ−ＲＮＴＩ、又はＳＰ−ＣＳＩ  ＲＮＴＩ）が適用されたＰＵＳＣＨがオーバラップしないように制御してもよい。あるいは、新規ＲＮＴＩが適用されたＰＵＳＣＨと、他のＲＮＴＩ（例えば、Ｃ−ＲＮＴＩ、ＣＳ−ＲＮＴＩ、又はＳＰ−ＣＳＩ  ＲＮＴＩ）が適用されたＰＤＳＣＨがオーバラップしないように制御してもよい。
【０１６４】
この場合、基地局は、所定ＵＥに対して新規ＲＴＮＩが適用されたＰＤＳＣＨ（又は、ＰＵＳＣＨ）と、他の信号又はチャネルが衝突しないようにスケジュール又は設定を制御してもよい。ＵＥは、新規ＲＴＮＩが適用されたＰＤＳＣＨ（又は、ＰＵＳＣＨ）と、他の信号又はチャネルがオーバラップしない（同時送受信を行わない）と想定して、送信処理又は受信処理を制御してもよい。
【０１６５】
このように、所定ＵＥに対して所定のＲＮＴＩ（例えば、新規ＲＮＴＩ）が適用されたＰＤＳＣＨ（又は、ＰＵＳＣＨ）と、他のＲＮＴＩが適用されたＰＵＳＣＨ（又は、ＰＤＳＣＨ）が同時に起こらないように制御することにより、低遅延及び高信頼性が必要となる通信（例えば、ＵＲＬＬＣ）の品質が劣化することを抑制できる。
【０１６６】
（第６の態様）
第６の態様では、新規ＲＮＴＩ（新規ＭＳＣ  ＲＮＴＩ）が適用されたＵＬデータ（例えば、ＰＵＳＣＨ）のＵＬ送信電力制御について説明する。
【０１６７】
所定のＭＣＳテーブル、及び所定のＲＮＴＩの少なくとも一つが適用されたＰＵＳＣＨの送信電力を、他のＰＵＳＣＨの送信電力より優先的に設定するように制御してもよい。所定のＭＣＳテーブルは、ＭＣＳテーブル３であってもよい。所定のＲＮＴＩは、新規ＲＮＴＩであってもよい。
【０１６８】
図１１は、複数のＣＣ（ここでは、３つのＣＣ）におけるＰＵＳＣＨ送信が重複する場合の送信電力制御の一例を示す図である。ここでは、ＰＵＳＣＨにＵＣＩが多重されない場合（PUSCH  without  UCI  multiplexing）を想定している。また、ＣＣ＃１におけるＰＵＳＣＨに対して、所定のＭＣＳテーブル及び所定のＲＮＴＩの少なくとも一つが適用され、他のＣＣ＃２、＃３では、所定のＭＣＳテーブル及び所定のＲＮＴＩが適用されない場合を想定する。
【０１６９】
ＵＥは、各ＣＣのＰＵＳＣＨ送信の送信電力の合計値が所定値（ＵＥに許容される最大送信電力）を超えた場合、つまりパワーリミテッドとなる場合に、以下のオプション１又はオプション２のいずれかを適用してＵＬ送信電力を制御（例えば、パワースケーリング）してもよい。
【０１７０】
＜オプション１＞
オプション１では、ＰＵＳＣＨに適用されるＭＣＳテーブル及びＲＮＴＩに関わらず、ＰＵＳＣＨの送信電力を等しくパワースケーリング（例えば、低減）する（図１１オプション１参照）。図１１のオプション１では、ＣＣ＃１−ＣＣ＃３のＰＵＳＣＨの送信電力を等しくパワースケーリングしている。なお、各ＣＣのＰＵＳＣＨ送信のスケーリングは、あらかじめ設定されたＰＵＳＣＨの送信電力の割合に基づいてスケーリングする値を決定してもよいし、あらかじめ設定されたＰＵＳＣＨの送信電力の割合に関わらず、各ＰＵＳＣＨのスケーリングする値を同じとしてもよい。
【０１７１】
ＰＵＳＣＨに適用されるＭＣＳテーブル及びＲＮＴＩに関わらず、ＰＵＳＣＨの送信電力を等しくパワースケーリングする場合、ＵＥにおける送信電力の処理を簡略化することができるため、ＵＥの処理負荷の増加を抑制できる。
【０１７２】
＜オプション２＞
オプション２では、ＰＵＳＣＨに適用されるＭＣＳテーブル及びＲＮＴＩに基づいて、ＰＵＳＣＨの送信電力のパワースケーリングの優先度を決定する。例えば、所定のＭＣＳテーブル及び所定のＲＮＴＩの少なくとも一つが適用されたＰＵＳＣＨの送信電力を優先して確保するように制御する（図１１オプション２参照）。
【０１７３】
図１１のオプション２では、ＣＣ＃１のＰＵＳＣＨの送信電力を確保するように、ＣＣ＃２とＣＣ＃３のＰＵＳＣＨの送信電力をパワースケーリングする。例えば、ＣＣ＃１のＰＵＳＣＨの送信電力は、あらかじめ設定された値を適用し、残りの送信電力（＝ＵＥに許容される送信電力−ＣＣ＃１のＰＵＳＣＨに設定された送信電力）をＣＣ＃２とＣＣ＃３に割当てを行うように制御してもよい。
【０１７４】
ＰＵＳＣＨに適用されるＭＣＳテーブル及びＲＮＴＩの少なくとも一つを考慮してＰＵＳＣＨの送信電力のパワースケーリングを制御することにより、低遅延及び高信頼性が必要となる通信（例えば、ＵＲＬＬＣ）のＰＵＳＣＨの送信電力を優先的に高く設定できる。その結果、低遅延及び高信頼性が必要となる通信（例えば、ＵＲＬＬＣ）の品質が劣化することを抑制できる。
【０１７５】
＜バリエーション＞
なお、オプション２では、所定のＭＣＳテーブル及び所定のＲＮＴＩの少なくとも一つが適用されたＰＵＳＣＨの送信電力を優先するようにパワースケーリングを行う場合を示したが、これに限られない。例えば、複数ＣＣのＰＵＳＣＨの送信電力の合計値が所定を超える（パワーリミテッドとなる）場合に、所定のＭＣＳテーブル及び所定のＲＮＴＩの少なくとも一つが適用されるＰＵＳＣＨを優先し、他のＰＵＳＣＨ送信をドロップしてもよい。
【０１７６】
例えば、図１１において、ＣＣ＃１のＰＵＳＣＨ送信をあらかじめ設定された送信電力を適用して行い、ＣＣ＃２とＣＣ＃３のＰＵＳＣＨ送信をドロップするように制御してもよい。これにより、ＵＥのＵＬ送信電力の負荷を低減すると共に、低遅延及び高信頼性が必要となる通信（例えば、ＵＲＬＬＣ）のＰＵＳＣＨ送信は優先して実施することが可能となる。
【０１７７】
なお、上記説明では、ＵＣＩが多重されないＰＵＳＣＨ送信について例を挙げて説明したが、本実施の形態はこれに限られない。例えば、ＰＵＣＣＨの送信についても所定のＭＣＳテーブル、所定のＣＱＩテーブル及び所定のＲＮＴＩの少なくとも一つが適用されたＰＵＣＣＨの送信電力を、他のＰＵＣＣＨの送信電力より優先的に設定するように制御してもよい。
【０１７８】
例えば、所定のＭＣＳテーブルが適用されたＰＤＳＣＨに対するＨＡＲＱ−ＡＣＫを送信するＰＵＣＣＨ、所定のＣＱＩテーブル（例えば、ＣＱＩテーブル３）が適用されたＣＳＩを送信するＰＵＣＣＨ、及び所定のＲＮＴＩが適用されたＰＵＣＣＨの少なくとも一つのＰＵＣＣＨの送信電力を、他のＰＵＣＣＨの送信電力より優先的に設定するように制御してもよい。
【０１７９】
また、所定のＵＣＩが多重されるＰＵＳＣＨの送信電力を、他のＵＣＩが多重されるＰＵＳＣＨの送信電力より優先的に設定するように制御してもよい。所定のＵＣＩは、所定のＭＣＳテーブルが適用されたＰＤＳＣＨに対するＨＡＲＱ−ＡＣＫ、及び所定のＣＱＩテーブルが適用されたＣＳＩの少なくとも一つであってもよい。
【０１８０】
（第７の態様）
第７の態様では、新規ＲＮＴＩ（新規ＭＳＣ  ＲＮＴＩ）及び所定のＭＣＳテーブルの少なくとも一つを考慮して、ＵＣＩの多重（例えば、ＵＣＩを多重するＣＣ）を制御する場合について説明する。
【０１８１】
ＵＥは、ＵＣＩを送信するタイミングと、ＰＵＳＣＨの送信タイミングが重複する場合、ＵＣＩをＰＵＳＣＨに多重して送信することができる。例えば、複数のＣＣにおいてＰＵＳＣＨ送信が同時に行われる場合、ＵＣＩを所定のＣＣのＰＵＳＣＨに多重して送信する。この場合、所定のＭＣＳテーブル及び所定のＲＮＴＩの少なくとも一つの適用有無に基づいて、ＵＣＩを多重するＣＣ（又は、ＰＵＳＣＨ）を決定してもよい。
【０１８２】
例えば、ＵＥは、ＭＣＳテーブル３及び新規ＲＮＴＩの少なくとも一つが適用された第１のＰＵＳＣＨと、ＭＣＳテーブル１、２、又は新規ＲＮＴＩ以外のＲＮＴＩ（例えば、Ｃ−ＲＮＴＩ）が適用された第２のＰＵＳＣＨと、の送信タイミングが重複した場合を想定する。この場合、ＵＥは、第２のＰＵＳＣＨに対してＵＣＩを多重するように制御してもよい（図１２Ａ参照）。
【０１８３】
図１２Ａでは、ＣＣ＃１における新規ＲＮＴＩを利用した第１のＰＵＳＣＨ送信と、ＣＣ＃２、ＣＣ＃３における新規ＲＮＴＩ以外のＲＮＴＩ（例えば、Ｃ−ＲＮＴＩ）を利用した第２のＰＵＳＣＨ送信の送信タイミングが重複する場合、ＵＣＩをＣＣ＃２に多重する場合を示している。つまり、第２のＰＵＳＣＨに対するＵＣＩ多重の優先度を第１のＰＵＳＣＨに対する優先度より高く設定する。これにより、第１のＰＵＳＣＨの符号化率等を低く設定できる。
【０１８４】
また、同時に送信するＰＵＳＣＨとして、設定グラントベースの第３のＰＵＳＣＨ（例えば、ＣＳ−ＲＮＴＩでスケジュールされたＰＵＳＣＨ）送信が含まれる場合、設定グラントベースの第３のＰＵＳＣＨに対するＵＣＩ多重の優先度を第１のＰＵＳＣＨ又は第２のＰＵＳＣＨより低くしてもよい。
【０１８５】
ＵＣＩの送信タイミングと、複数のＣＣにおけるＰＵＳＣＨの送信タイミングが重複する場合、以下のオプション１−３のいずれかの優先度に基づいて、ＵＣＩを多重するＣＣ（又は、ＰＵＳＣＨ）を決定してもよい。
【０１８６】
＜オプション１＞
Ｃ−ＲＮＴＩ又は新規ＲＮＴＩでスケジューリングされるＰＵＳＣＨ＞ＣＳ−ＲＮＴＩでスケジューリング（又は、アクティブ化）されるＰＵＳＣＨ
【０１８７】
このように、設定グラントベースの第３のＰＵＳＣＨに対するＵＣＩ多重の優先度を第１のＰＵＳＣＨ又は第２のＰＵＳＣＨより低くすることにより、ブラインド検出が必要な設定グラントベースのＰＵＳＣＨにＵＣＩが多重される確率を減らし、基地局がＵＣＩ多重されたＰＵＳＣＨがどれであるかをブラインド検出しなければならなくなる確率を低減し、受信機構成を簡易化できる。
【０１８８】
＜オプション２＞
Ｃ−ＲＮＴＩでスケジューリングされるＰＵＳＣＨ＞新規ＲＮＴＩでスケジューリングされるＰＵＳＣＨ＞ＣＳ−ＲＮＴＩでスケジューリング（又は、アクティブ化）されるＰＵＳＣＨ
【０１８９】
このように、設定グラントベースの第３のＰＵＳＣＨに対するＵＣＩ多重の優先度と新規ＲＮＴＩが適用される第１のＰＵＳＣＨに対するＵＣＩの多重の優先度を第２のＰＵＳＣＨより低くすることにより、ブラインド検出が必要な設定グラントベースのＰＵＳＣＨにＵＣＩが多重される確率を減らし、基地局がＵＣＩ多重されたＰＵＳＣＨがどれであるかをブラインド検出しなければならなくなる確率を低減し、受信機構成を簡易化できる。
【０１９０】
＜オプション３＞
ＭＣＳテーブル１又は２利用のグラントベースＰＵＳＣＨ＞設定グラントベースＰＵＳＣＨ＞ＭＣＳテーブル３利用のＰＵＳＣＨ（図１２Ｂ参照）
【０１９１】
このように、ＭＣＳテーブル３を利用したＰＵＳＣＨに対するＵＣＩ多重の優先度を他のＰＵＳＣＨに対するＵＣＩの多重の優先度を第２のＰＵＳＣＨより低くすることにより、ＭＣＳテーブル３を利用したＰＵＳＣＨのデータ符号化率が、ＵＣＩの多重によって高くなる確率を低減し、誤り率の増加を回避できる。なお、図１２Ｂにおいて、設定グラントベースＰＵＳＣＨは、ＭＣＳテーブル１又は２が利用される設定グラントベースＰＵＳＣＨとしてもよい。
【０１９２】
このように、低遅延及び高信頼性が必要となる通信（例えば、ＵＲＬＬＣ）のＰＵＳＣＨ送信の符号化率等が増加しないようにＰＵＳＣＨへのＵＣＩ多重を制御することにより、低遅延及び高信頼性が必要となる通信の品質が劣化することを抑制できる。
【０１９３】
（無線通信システム）
以下、本実施の形態に係る無線通信システムの構成について説明する。この無線通信システムでは、上記複数の態様の少なくとも一つの組み合わせを用いて通信が行われる。
【０１９４】
図１３は、本実施の形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。
【０１９５】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【０１９６】
無線通信システム１は、比較的カバレッジの広いマクロセルＣ１を形成する無線基地局１１と、マクロセルＣ１内に配置され、マクロセルＣ１よりも狭いスモールセルＣ２を形成する無線基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示す態様に限定されない。
【０１９７】
ユーザ端末２０は、無線基地局１１及び無線基地局１２の双方に接続することができる。ユーザ端末２０は、マクロセルＣ１及びスモールセルＣ２を、ＣＡ又はＤＣを用いて同時に使用することが想定される。また、ユーザ端末２０は、複数のセル（ＣＣ）（例えば、５個以下のＣＣ、６個以上のＣＣ）を用いてＣＡ又はＤＣを適用してもよい。
【０１９８】
ユーザ端末２０と無線基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【０１９９】
また、ユーザ端末２０は、各セルで、時分割複信（ＴＤＤ：Time  Division  Duplex）及び／又は周波数分割複信（ＦＤＤ：Frequency  Division  Duplex）を用いて通信を行うことができる。また、各セル（キャリア）では、単一のニューメロロジーが適用されてもよいし、複数の異なるニューメロロジーが適用されてもよい。
【０２００】
ニューメロロジーとは、ある信号及び／又はチャネルの送信及び／又は受信に適用される通信パラメータであってもよく、例えば、サブキャリア間隔、帯域幅、シンボル長、サイクリックプレフィックス長、サブフレーム長、ＴＴＩ長、ＴＴＩあたりのシンボル数、無線フレーム構成、フィルタリング処理、ウィンドウイング処理などの少なくとも１つを示してもよい。
【０２０１】
無線基地局１１と無線基地局１２との間（又は、２つの無線基地局１２間）は、有線（例えば、ＣＰＲＩ（Common  Public  Radio  Interface）に準拠した光ファイバ、Ｘ２インターフェースなど）又は無線によって接続されてもよい。
【０２０２】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。また、各無線基地局１２は、無線基地局１１を介して上位局装置３０に接続されてもよい。
【０２０３】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【０２０４】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【０２０５】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及び／又はＯＦＤＭＡが適用される。
【０２０６】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックによって構成される帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【０２０７】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下りＬ１／Ｌ２制御チャネルなどが用いられる。ＰＤＳＣＨによって、ユーザデータ、上位レイヤ制御情報、ＳＩＢ（System  Information  Block）などが伝送される。また、ＰＢＣＨによって、ＭＩＢ（Master  Information  Block）が伝送される。
【０２０８】
下りＬ１／Ｌ２制御チャネルは、下り制御チャネル（ＰＤＣＣＨ（Physical  Downlink  Control  Channel）及び／又はＥＰＤＣＣＨ（Enhanced  Physical  Downlink  Control  Channel））、ＰＣＦＩＣＨ（Physical  Control  Format  Indicator  Channel）、ＰＨＩＣＨ（Physical  Hybrid-ARQ  Indicator  Channel）の少なくとも一つを含む。ＰＤＣＣＨによって、ＰＤＳＣＨ及び／又はＰＵＳＣＨのスケジューリング情報を含む下り制御情報（ＤＣＩ：Downlink  Control  Information）などが伝送される。
【０２０９】
なお、ＤＣＩによってスケジューリング情報が通知されてもよい。例えば、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【０２１０】
ＰＣＦＩＣＨによって、ＰＤＣＣＨに用いるＯＦＤＭシンボル数が伝送される。ＰＨＩＣＨによって、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【０２１１】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨによって、ユーザデータ、上位レイヤ制御情報などが伝送される。また、ＰＵＣＣＨによって、下りリンクの無線リンク品質情報（ＣＱＩ：Channel  Quality  Indicator）、送達確認情報、スケジューリングリクエスト（ＳＲ：Scheduling  Request）などが伝送される。ＰＲＡＣＨによって、セルとの接続確立のためのランダムアクセスプリアンブルが伝送される。
【０２１２】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【０２１３】
＜無線基地局＞
図１４は、本実施の形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【０２１４】
下りリンクによって無線基地局１０からユーザ端末２０に送信されるユーザデータは、上位局装置３０から伝送路インターフェース１０６を介してベースバンド信号処理部１０４に入力される。
【０２１５】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【０２１６】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２によって増幅され、送受信アンテナ１０１から送信される。送受信部１０３は、本開示に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０２１７】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０２１８】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、無線基地局１０の状態管理、無線リソースの管理などを行う。
【０２１９】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の無線基地局１０と信号を送受信（バックホールシグナリング）してもよい。
【０２２０】
なお、送受信部１０３は、アナログビームフォーミングを実施するアナログビームフォーミング部をさらに有してもよい。アナログビームフォーミング部は、本発明に係る技術分野での共通認識に基づいて説明されるアナログビームフォーミング回路（例えば、位相シフタ、位相シフト回路）又はアナログビームフォーミング装置（例えば、位相シフト器）から構成することができる。また、送受信アンテナ１０１は、例えばアレーアンテナにより構成することができる。また、送受信部１０３は、シングルＢＦ、マルチＢＦを適用できるように構成されている。
【０２２１】
また、送受信部１０３は、ユーザ端末２０に対して下り（ＤＬ）信号（ＤＬデータ信号（下り共有チャネル）、ＤＬ制御信号（下り制御チャネル）、ＤＬ参照信号の少なくとも一つを含む）を送信し、当該ユーザ端末２０からの上り（ＵＬ）信号（ＵＬデータ信号、ＵＬ制御信号、ＵＬ参照信号の少なくとも一つを含む）を受信する。
【０２２２】
また、送受信部１０３は、第１のチャネル品質識別子（ＣＱＩ）テーブル、及び第１のＣＱＩテーブルに規定された最小の符号化率より低い符号化率が規定された第２のＣＱＩテーブルの少なくとも一つが利用されたチャネル状態情報（ＣＳＩ）を受信する。また、送受信部１０３は、第１の変調及び符号化方式（ＭＣＳ）テーブル、及び第１のＭＣＳテーブルに規定された最小の符号化率より低い符号化率が規定された第２のＭＣＳテーブルの少なくとも一つを含むＤＣＩを送信する。
【０２２３】
また、送受信部１０３は、所定のＲＮＴＩが適用されたＤＬ信号又はＤＬチャネルを送信し、所定のＲＮＴＩが適用されたＵＬ信号又はＵＬチャネルを受信してもよい（第３の態様）。
【０２２４】
図１５は、本実施の形態に係る無線基地局の機能構成の一例を示す図である。なお、本例では、本実施の形態における特徴部分の機能ブロックを主に示しており、無線基地局１０は、無線通信に必要な他の機能ブロックも有すると想定されてもよい。
【０２２５】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、無線基地局１０に含まれていればよく、一部又は全部の構成がベースバンド信号処理部１０４に含まれなくてもよい。
【０２２６】
制御部（スケジューラ）３０１は、無線基地局１０全体の制御を実施する。制御部３０１は、本開示に係る技術分野での共通認識に基づいて説明されるコントローラ、制御回路又は制御装置から構成することができる。
【０２２７】
制御部３０１は、例えば、送信信号生成部３０２における信号の生成、マッピング部３０３における信号の割り当てなどを制御する。また、制御部３０１は、受信信号処理部３０４における信号の受信処理、測定部３０５における信号の測定などを制御する。
【０２２８】
制御部３０１は、システム情報、下りデータ信号（例えば、ＰＤＳＣＨで送信される信号）、下り制御信号（例えば、ＰＤＣＣＨ及び／又はＥＰＤＣＣＨで送信される信号。送達確認情報など）のスケジューリング（例えば、リソース割り当て）を制御する。また、制御部３０１は、上りデータ信号に対する再送制御の要否を判定した結果などに基づいて、下り制御信号、下りデータ信号などの生成を制御する。
【０２２９】
また、制御部３０１は、ＣＱＩテーブルをセル毎に別々に設定する場合、所定グループに含まれる複数のセルに異なるＣＱＩテーブルを設定しない（同じＣＱＩテーブルを設定する）ように制御する。あるいは、制御部３０１は、ＵＥが第１のＣＱＩテーブルに基づく第１のＣＳＩと第２のＣＱＩテーブルに基づく第２のＣＳＩの一方を優先してＣＳＩ送信を行うと想定して受信処理を制御してもよい。
【０２３０】
また、制御部３０１は、ＭＣＳテーブルをセル毎に別々に設定する場合、所定グループに含まれる複数のセルに異なるＭＣＳテーブルを設定しない（同じＭＳＣテーブルを設定する）ように制御してもよい。あるいは、制御部３０１は、ＵＥが第１のＭＣＳテーブルを利用する下り共有チャネルに対する第１の送達確認信号と第２のＭＣＳテーブルを利用するに下り共有チャネルに対する第２の送達確認信号の一方を優先して送達確認信号の送信を行うと想定して受信処理を制御してもよい。
【０２３１】
また、制御部３０１は、ＤＬ信号又はＤＬチャネルに適用するＲＮＴＩと、ＵＬ信号又はＵＬチャネルに適用するＲＮＴＩを制御してもよい（第３の態様）。また、制御部３０１は、ＭＣＳテーブル、ＣＱＩテーブル、適用されるＲＮＴＩ種別の少なくとも一つに基づいて、各セルに適用される最大符号化率及びベータオフセットの少なくとも一方を制御してもよい（第４の態様）。
【０２３２】
また、制御部３０１は、ＭＣＳテーブル、ＣＱＩテーブル、適用されるＲＮＴＩ種別の少なくとも一つに基づいて、ＵＬ指示とＤＬスケジュールのタイミング（第５の態様）、ＵＬ送信電力（第６の態様）、又はＤＣＩが多重されるＰＵＳＣＨ（第７の態様）の少なくとも一つを制御してもよい。
【０２３３】
送信信号生成部３０２は、制御部３０１からの指示に基づいて、下り信号（下り制御信号、下りデータ信号、下り参照信号など）を生成して、マッピング部３０３に出力する。送信信号生成部３０２は、本開示に係る技術分野での共通認識に基づいて説明される信号生成器、信号生成回路又は信号生成装置から構成することができる。
【０２３４】
送信信号生成部３０２は、例えば、制御部３０１からの指示に基づいて、下りデータの割り当て情報を通知するＤＬアサインメント及び／又は上りデータの割り当て情報を通知するＵＬグラントを生成する。ＤＬアサインメント及びＵＬグラントは、いずれもＤＣＩであり、ＤＣＩフォーマットに従う。また、下りデータ信号には、各ユーザ端末２０からのチャネル状態情報（ＣＳＩ：Channel  State  Information）などに基づいて決定された符号化率、変調方式などに従って符号化処理、変調処理などが行われる。
【０２３５】
マッピング部３０３は、制御部３０１からの指示に基づいて、送信信号生成部３０２で生成された下り信号を、所定の無線リソースにマッピングして、送受信部１０３に出力する。マッピング部３０３は、本開示に係る技術分野での共通認識に基づいて説明されるマッパー、マッピング回路又はマッピング装置から構成することができる。
【０２３６】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本開示に係る技術分野での共通認識に基づいて説明される信号処理器、信号処理回路又は信号処理装置から構成することができる。
【０２３７】
受信信号処理部３０４は、受信処理によって復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び／又は受信処理後の信号を、測定部３０５に出力する。
【０２３８】
測定部３０５は、受信した信号に関する測定を実施する。測定部３０５は、本開示に係る技術分野での共通認識に基づいて説明される測定器、測定回路又は測定装置から構成することができる。
【０２３９】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０２４０】
＜ユーザ端末＞
図１６は、本実施の形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０２４１】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本開示に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０２４２】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０２４３】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。
【０２４４】
送受信部２０３は、ベースバンド信号処理部２０４から出力されたベースバンド信号を無線周波数帯に変換して送信する。送受信部２０３で周波数変換された無線周波数信号は、アンプ部２０２によって増幅され、送受信アンテナ２０１から送信される。
【０２４５】
なお、送受信部２０３は、アナログビームフォーミングを実施するアナログビームフォーミング部をさらに有してもよい。アナログビームフォーミング部は、本発明に係る技術分野での共通認識に基づいて説明されるアナログビームフォーミング回路（例えば、位相シフタ、位相シフト回路）又はアナログビームフォーミング装置（例えば、位相シフト器）から構成することができる。また、送受信アンテナ２０１は、例えばアレーアンテナにより構成することができる。また、送受信部２０３は、シングルＢＦ、マルチＢＦを適用できるように構成されている。
【０２４６】
また、送受信部２０３は、無線基地局１０から下り（ＤＬ）信号（ＤＬデータ信号（下り共有チャネル）、ＤＬ制御信号（下り制御チャネル）、ＤＬ参照信号の少なくとも一つを含む）を受信し、無線基地局１０に対して上り（ＵＬ）信号（ＵＬデータ信号、ＵＬ制御信号、ＵＬ参照信号の少なくとも一つを含む）を送信する。
【０２４７】
また、送受信部２０３は、第１のチャネル品質識別子（ＣＱＩ）テーブル、及び第１のＣＱＩテーブルに規定された最小の符号化率より低い符号化率が規定された第２のＣＱＩテーブルの少なくとも一つを利用してチャネル状態情報（ＣＳＩ）を送信する。また、送受信部２０３は、第１の変調及び符号化方式（ＭＣＳ）テーブル、及び第１のＭＣＳテーブルに規定された最小の符号化率より低い符号化率が規定された第２のＭＣＳテーブルの少なくとも一つを利用して下り共有チャネルを受信してもよい。
【０２４８】
また、送受信部２０３は、所定のＲＮＴＩが適用されたＤＬ信号又はＤＬチャネルを受信し、所定のＲＮＴＩが適用されたＵＬ信号又はＵＬチャネルを送信してもよい（第３の態様）。
【０２４９】
図１７は、本実施の形態に係るユーザ端末の機能構成の一例を示す図である。なお、本例においては、本実施の形態における特徴部分の機能ブロックを主に示しており、ユーザ端末２０は、無線通信に必要な他の機能ブロックも有すると想定されてもよい。
【０２５０】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０２５１】
制御部４０１は、ユーザ端末２０全体の制御を実施する。制御部４０１は、本開示に係る技術分野での共通認識に基づいて説明されるコントローラ、制御回路又は制御装置から構成することができる。
【０２５２】
制御部４０１は、例えば、送信信号生成部４０２における信号の生成、マッピング部４０３における信号の割り当てなどを制御する。また、制御部４０１は、受信信号処理部４０４における信号の受信処理、測定部４０５における信号の測定などを制御する。
【０２５３】
制御部４０１は、無線基地局１０から送信された下り制御信号及び下りデータ信号を、受信信号処理部４０４から取得する。制御部４０１は、下り制御信号及び／又は下りデータ信号に対する再送制御の要否を判定した結果などに基づいて、上り制御信号及び／又は上りデータ信号の生成を制御する。
【０２５４】
また、制御部４０１は、ＣＱＩテーブルがセル毎に別々に設定される場合、所定グループに含まれる複数のセルに異なるＣＱＩテーブルが設定されないと想定してもよい。あるいは、制御部４０１は、第１のＣＱＩテーブルに基づく第１のＣＳＩと第２のＣＱＩテーブルに基づく第２のＣＳＩの一方を優先して、ＣＳＩの送信を制御してもよい。
【０２５５】
例えば、制御部４０１は、第１のＣＱＩテーブルに基づく第１のＣＳＩの送信タイミングと、第２のＣＱＩテーブルに基づく第２のＣＳＩの送信タイミングとが重複した場合、第１のＣＳＩの送信を行わないように制御する。
【０２５６】
あるいは、制御部４０１は、第１のＣＱＩテーブルに基づく第１のＣＳＩの送信タイミングと、第２のＣＱＩテーブルに基づく第２のＣＳＩの送信タイミングとが重複した場合、所定条件の範囲（例えば、符号化率等が所定値以下となる範囲）では第１のＣＳＩと第２のＣＳＩを多重して送信を行うように制御してもよい。所定条件の範囲外となる場合には、一方のＣＳＩ（例えば、第１のＣＳＩ）の送信を行わないように制御してもよい。
【０２５７】
また、制御部４０１は、ＭＣＳテーブルがセル毎に別々に設定される場合、所定グループに含まれる複数のセルに異なるＭＣＳテーブルが設定されないと想定してもよい。あるいは、制御部４０１は、第１のＭＣＳテーブルを利用する下り共有チャネルに対する第１の送達確認信号と第２のＭＣＳテーブルを利用するに下り共有チャネルに対する第２の送達確認信号の一方を優先して、送達確認信号の送信を制御してもよい。
【０２５８】
例えば、制御部４０１は、第１の送達確認信号の送信タイミングと、第２の送達確認信号の送信タイミングとが重複した場合、第１の送達確認信号の送信を行わないように制御してもよい。
【０２５９】
あるいは、制御部４０１は、第１の送達確認信号の送信タイミングと、第２の送達確認信号の送信タイミングが重複した場合、所定条件の範囲（例えば、符号化率等が所定値以下となる範囲）では第１の送達確認信号と第２の送達確認信号を多重して送信を行うように制御してもよい。所定条件の範囲外となる場合には、一方の送達確認信号（例えば、第１の送達確認信号）の送信を行わないように制御してもよい。
【０２６０】
また、制御部４０１は、ＤＬ信号又はＤＬチャネルに適用するＲＮＴＩと、ＵＬ信号又はＵＬチャネルに適用するＲＮＴＩを制御してもよい（第３の態様）。また、制御部４０１は、ＭＣＳテーブル、ＣＱＩテーブル、適用されるＲＮＴＩ種別の少なくとも一つに基づいて、各セルに適用される最大符号化率及びベータオフセットの少なくとも一方を制御してもよい（第４の態様）。
【０２６１】
また、制御部４０１は、ＭＣＳテーブル、ＣＱＩテーブル、適用されるＲＮＴＩ種別の少なくとも一つに基づいて、ＵＬ送信とＤＬ受信の制御（第５の態様）、ＵＬ送信電力の制御（第６の態様）、又はＤＣＩを多重するＰＵＳＣＨ制御（第７の態様）の少なくとも一つを行ってもよい。
【０２６２】
送信信号生成部４０２は、制御部４０１からの指示に基づいて、上り信号（上り制御信号、上りデータ信号、上り参照信号など）を生成して、マッピング部４０３に出力する。送信信号生成部４０２は、本開示に係る技術分野での共通認識に基づいて説明される信号生成器、信号生成回路又は信号生成装置から構成することができる。
【０２６３】
送信信号生成部４０２は、例えば、制御部４０１からの指示に基づいて、送達確認情報（ＨＡＲＱ−ＡＣＫ）、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。
【０２６４】
マッピング部４０３は、制御部４０１からの指示に基づいて、送信信号生成部４０２で生成された上り信号を無線リソースにマッピングして、送受信部２０３へ出力する。マッピング部４０３は、本開示に係る技術分野での共通認識に基づいて説明されるマッパー、マッピング回路又はマッピング装置から構成することができる。
【０２６５】
受信信号処理部４０４は、送受信部２０３から入力された受信信号に対して、受信処理（例えば、デマッピング、復調、復号など）を行う。ここで、受信信号は、例えば、無線基地局１０から送信される下り信号（下り制御信号、下りデータ信号、下り参照信号など）である。受信信号処理部４０４は、本開示に係る技術分野での共通認識に基づいて説明される信号処理器、信号処理回路又は信号処理装置から構成することができる。また、受信信号処理部４０４は、本開示に係る受信部を構成することができる。
【０２６６】
受信信号処理部４０４は、受信処理によって復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び／又は受信処理後の信号を、測定部４０５に出力する。
【０２６７】
測定部４０５は、受信した信号に関する測定を実施する。測定部４０５は、本開示に係る技術分野での共通認識に基づいて説明される測定器、測定回路又は測定装置から構成することができる。
【０２６８】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部４０１に出力されてもよい。
【０２６９】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０２７０】
ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting  unit）、送信機（transmitter）などと呼称されてもよい。いずれも、上述したとおり、実現方法は特に限定されない。
【０２７１】
例えば、本開示の一実施形態における基地局、ユーザ端末などは、本開示の無線通信方法の処理を行うコンピュータとして機能してもよい。図１８は、一実施形態に係る基地局及びユーザ端末のハードウェア構成の一例を示す図である。上述の基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０２７２】
なお、以下の説明では、「装置」という文言は、回路、デバイス、ユニットなどに読み替えることができる。基地局１０及びユーザ端末２０のハードウェア構成は、図に示した各装置を１つ又は複数含むように構成されてもよいし、一部の装置を含まずに構成されてもよい。
【０２７３】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０２７４】
基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０２７５】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０２７６】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０２７７】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０２７８】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０２７９】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。送受信部１０３は、送信部１０３ａと受信部１０３ｂとで、物理的に又は論理的に分離された実装がなされてもよい。
【０２８０】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０２８１】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０２８２】
また、基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０２８３】
（変形例）
なお、本開示において説明した用語及び本開示の理解に必要な用語については、同一の又は類似する意味を有する用語と置き換えてもよい。例えば、チャネル及びシンボルの少なくとも一方は信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０２８４】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０２８５】
ここで、ニューメロロジーは、ある信号又はチャネルの送信及び受信の少なくとも一方に適用される通信パラメータであってもよい。ニューメロロジーは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０２８６】
スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。
【０２８７】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０２８８】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０２８９】
例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０２９０】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０２９１】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０２９２】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０２９３】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０２９４】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０２９５】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０２９６】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０２９７】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０２９８】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０２９９】
帯域幅部分（ＢＷＰ：Bandwidth  Part）（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０３００】
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０３０１】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０３０２】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０３０３】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０３０４】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０３０５】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０３０６】
また、情報、信号などは、上位レイヤから下位レイヤ及び下位レイヤから上位レイヤの少なくとも一方へ出力され得る。情報、信号などは、複数のネットワークノードを介して入出力されてもよい。
【０３０７】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０３０８】
情報の通知は、本開示において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０３０９】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０３１０】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０３１１】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０３１２】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０３１３】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０３１４】
本開示において使用する「システム」及び「ネットワーク」という用語は、互換的に使用され得る。
【０３１５】
本開示において、「プリコーディング」、「プリコーダ」、「ウェイト（プリコーディングウェイト）」、「擬似コロケーション（ＱＣＬ：Quasi-Co-Location）」、「送信電力」、「位相回転」、「アンテナポート」、「アンテナポートグル−プ」、「レイヤ」、「レイヤ数」、「ランク」、「ビーム」、「ビーム幅」、「ビーム角度」、「アンテナ」、「アンテナ素子」、「パネル」などの用語は、互換的に使用され得る。
【０３１６】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（ＴＰ：Transmission  Point）」、「受信ポイント（ＲＰ：Reception  Point）」、「送受信ポイント（ＴＲＰ：Transmission/Reception  Point）」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０３１７】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０３１８】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０３１９】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０３２０】
基地局及び移動局の少なくとも一方は、送信装置、受信装置、通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０３２１】
また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０３２２】
同様に、本開示におけるユーザ端末は、基地局で読み替えてもよい。この場合、上述のユーザ端末２０が有する機能を基地局１０が有する構成としてもよい。
【０３２３】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０３２４】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０３２５】
本開示において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０３２６】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０３２７】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０３２８】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）などを「判断（決定）」することであるとみなされてもよい。
【０３２９】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０３３０】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０３３１】
また、「判断（決定）」は、「想定する（assuming）」、「期待する（expecting）」、「みなす（considering）」などで読み替えられてもよい。
【０３３２】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０３３３】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０３３４】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０３３５】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０３３６】
本開示において、例えば、英語でのa,  an及びtheのように、翻訳によって冠詞が追加された場合、本開示は、これらの冠詞の後に続く名詞が複数形であることを含んでもよい。
【０３３７】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2020026305.tif 000003
【図２】
2020026305.tif 000004
【図３】
2020026305.tif 000005
【図４】
2020026305.tif 000006
【図５】
2020026305.tif 000007
【図６】
2020026305.tif 000008
【図７】
2020026305.tif 000009
【図８】
2020026305.tif 000010
【図９】
2020026305.tif 000011
【図１０】
2020026305.tif 000012
【図１１】
2020026305.tif 000013
【図１２】
2020026305.tif 000014
【図１３】
2020026305.tif 000015
【図１４】
2020026305.tif 000016
【図１５】
2020026305.tif 000017
【図１６】
2020026305.tif 000018
【図１７】
2020026305.tif 000019
【図１８】
2020026305.tif 000020
【国際調査報告】
2020026305.tif 000021
2020026305.tif 000022
2020026305.tif 000023
2020026305.tif 000024